(57)【要約】プロテイナーゼ／グリコサミノグリカン経路の阻害作用を阻止することにより、陽イオン性抗微生物ペプチドの抗微生物活性を増強する物質の同定法であって：（ｉ）第１の成分として、陽イオン性抗微生物ペプチドを提供し；（ｉｉ）第２の成分として、細菌を提供し；（ｉｉｉ）第３の成分として、プロテイナーゼ／グリコサミノグリカン経路の成分の一部またはすべてを提供し、こうして第３の成分が第１の成分（例えば、グリコサミノグリカン、または細菌、または細菌とプロテオグリカン、または細菌プロテイナーゼ、または細菌プロテイナーゼとプロテオグリカン）の抗微生物作用を低下させ；（ｉｖ）第１、第２、および第３の成分を、第３の成分の非存在下で抗微生物物質による細菌の死滅を可能にし、試験物質の非存在下で第３の成分による第１の成分の抗微生物活性の阻害を可能にする条件下で、試験物質に接触させ；（ｖ）細菌培養物の生存を監視して、試験物質が抗微生物活性を増強することができるかどうか（抗微生物活性を増強することができる試験物質は、細菌培養物の死滅を促進する）を決定する、ことを含む上記方法が提供される。そのような方法により同定される物質は、急性および慢性の感染症の治療、特に潰瘍の治療と創傷治癒の促進に有用である。
2004504603.tif 000002
【特許請求の範囲】
【請求項１】
グリコサミノグリカンと陽イオン性抗微生物ペプチドとの相互作用を阻害することができる物質を同定する方法であって：
（ｉ）第１の成分として、グリコサミノグリカンを提供し；
（ｉｉ）第２の成分として、陽イオン性抗微生物ペプチドを提供し；
（ｉｉｉ）第１および第２の成分を、試験物質の非存在下で第１および第２の成分が相互作用することを可能にする条件下で、試験物質に接触させ；そして
（ｉｖ）第１の成分と第２の成分の相互作用を監視して、こうして試験物質が第１の成分と第２の成分の相互作用を破壊することができるかどうかを決定する、ことを含む上記方法。
【請求項２】
陽イオン性抗微生物ペプチドのグリコサミノグリカン介在阻害を阻止することができる物質を同定する方法であって：
（ｉ）第１の成分として、グリコサミノグリカンを提供し；
（ｉｉ）第２の成分として、陽イオン性抗微生物ペプチドを提供し；
（ｉｉｉ）第３の成分として、細菌培養物を提供し；
（ｉｖ）第１、第２、および第３の成分を、第１の成分の非存在下で第２の成分による細菌培養物の死滅を可能にし、試験物質の非存在下で第２の成分による細菌培養物の死滅の、第１の成分による阻害を可能にする条件下で、試験物質に接触させ；そして
（ｖ）細菌培養物の生存を監視し、こうして試験物質が陽イオン性抗微生物ペプチドのグリコサミノグリカン介在阻害を妨害することができるかどうかを決定する、ことを含む上記方法。
【請求項３】
陽イオン性抗微生物ペプチドはデフェンシンである、請求項１または２の方法。
【請求項４】
デフェンシンはα−デフェンシンである、請求項３の方法。
【請求項５】
陽イオン性抗微生物ペプチドはＬＬ−３７である、請求項１または２の方法。
【請求項６】
グリコサミノグリカンはイズロン酸塩含量が多い、前記請求項のいずれかの方法。
【請求項７】
グリコサミノグリカンは高度の硫酸化を有する、前記請求項のいずれかの方法。
【請求項８】
グリコサミノグリカンはデルマタン硫酸である、前記請求項のいずれかの方法。
【請求項９】
細菌培養物は、プロテオグリカンの豊富な結合組織中で増殖することができる細菌株を含む、請求項２の方法。
【請求項１０】
細菌株は、緑膿菌（Ｐｓｅｕｄｏｍｏｎａｓ ａｅｒｕｇｉｎｏｓａ）、エンテロコッカス・フェカーリス（Ｅｎｔｅｒｏｃｏｃｃｕｓ ｆａｅｃａｌｉｓ）、化膿連鎖球菌（Ｓｔｒｅｐｔｏｃｏｃｃｕｓ ｐｙｏｇｅｎｅｓ）または霊菌（Ｐｒｏｔｅｕｓ ｍｉｒａｂｉｌｉｓ）から選択される、請求項９の方法。
【請求項１１】
細菌プロテイナーゼによるプロテオグリカンの分解を阻害することができる物質を同定する方法であって：
（ｉ）第１の成分として、細菌プロテイナーゼを提供し；
（ｉｉ）第２の成分として、プロテオグリカンを提供し；
（ｉｉｉ）第１および第２の成分を、試験物質の非存在下で第１の成分による第２の成分の分解を可能にする条件下で、試験物質に接触させ；そして
（ｉｖ）第２の成分の分解を監視して、こうして試験物質が、プロテイナーゼによるプロテオグリカンの分解を阻害することができるかどうかを決定する、ことを含む上記方法。
【請求項１２】
プロテオグリカンはデルマタン硫酸を含む、請求項１１の方法。
【請求項１３】
プロテオグリカンはデコリンまたはベルシカンである、請求項１１または１２の方法。
【請求項１４】
工程（ｉｖ）においてプロテオグリカンからのデルマタン硫酸の放出が監視される、請求項１２または１３の方法。
【請求項１５】
細菌プロテイナーゼによる陽イオン性抗微生物ペプチドの分解を阻害することができる物質を同定する方法であって：
（ｉ）第１の成分として、細菌プロテイナーゼを提供し；
（ｉｉ）第２の成分として、陽イオン性抗微生物ペプチドを提供し；
（ｉｉｉ）第１および第２の成分を、試験物質の非存在下で第１の成分による第２の成分の分解を可能にする条件下で、試験物質に接触させ；そして
（ｉｖ）第２の成分の分解を監視して、こうして試験物質が、プロテイナーゼによる陽イオン性抗微生物ペプチドの分解を阻害することができるかどうかを決定する、ことを含む上記方法。
【請求項１６】
陽イオン性抗微生物ペプチドは請求項３〜５のいずれか１項に記載に定義されたものである、請求項１５の方法。
【請求項１７】
細菌プロテイナーゼは、請求項９または１０で定義された細菌株から得られる、請求項１１〜１６のいずれか１項に記載の方法。
【請求項１８】
細菌プロテイナーゼは、緑膿菌（Ｐｓｅｕｄｏｍｏｎａｓ ａｅｒｕｇｉｎｏｓａ）エラスターゼ、緑膿菌（Ｐｓｅｕｄｏｍｏｎａｓ ａｅｒｕｇｉｎｏｓａ）アルカリ性プロテイナーゼ、エンテロコッカス・フェカーリス（Ｅｎｔｅｒｏｃｏｃｃｕｓ ｆａｅｃａｌｉｓ）ゲラチナーゼ、および化膿連鎖球菌（Ｓｔｒｅｐｔｏｃｏｃｃｕｓ ｐｙｏｇｅｎｅｓ）システインプロテイナーゼから選択される、請求項１１〜１７のいずれか１項に記載の方法。
【請求項１９】
細菌プロテイナーゼは、細菌培養物から抽出される増殖培地中に存在する、請求項１１〜１８のいずれか１項に記載の方法。
【請求項２０】
グリコサミノグリカンと陽イオン性抗微生物ペプチドとの相互作用を阻害することができる物質の同定に使用するためのキットであって：
（ａ）グリコサミノグリカン；と
（ｂ）陽イオン性抗微生物ペプチド、
とを含むキット。
【請求項２１】
（ｃ）試験物質が、グリコサミノグリカンと陽イオン性抗微生物ペプチドとの相互作用を阻害するかどうかを決定するための手段、
をさらに含む請求項２０のキット。
【請求項２２】
（ｄ）細菌試料、
をさらに含む請求項２０または２１のキット。
【請求項２３】
細菌プロテイナーゼによるプロテオグリカンの分解を阻害することができる物質の同定に使用するためのキットであって：
（ａ）プロテオグリカン；と
（ｂ）細菌プロテイナーゼ、
とを含むキット；
【請求項２４】
（ｃ）試験物質が、細菌プロテイナーゼによるプロテオグリカンの分解を阻害するかどうかを決定するための手段、
をさらに含む請求項２３のキット。
【請求項２５】
前記請求項のいずれか１項に記載の方法により同定される物質。
【請求項２６】
単糖、二糖、オリゴ糖、または多糖である、請求項２５の物質。
【請求項２７】
陽イオン性物質である、請求項２５の物質。
【請求項２８】
陽イオン性物質は、ポリ−Ｌ−リジン、ポリ−Ｌ−アルギニン、ＤＥＡＥ−デキストラン、ポリブレン、キトサン、ポリエチレンイミンまたはプロタミンである、請求項２７の物質。
【請求項２９】
請求項２５〜２８のいずれか１項に記載の物質と薬剤学的に許容される担体または希釈剤とを含む、医薬組成物。
【請求項３０】
陽イオン性抗微生物ペプチドをさらに含む、請求項２９の医薬組成物。
【請求項３１】
治療法によりヒトまたは動物の体を治療する方法において使用するための、請求項２５〜２８のいずれか１項に記載の物質または請求項２９または３０の医薬組成物。
【請求項３２】
治療法によりヒトまたは動物の体を治療する方法において、別々に、同時に、または連続的に使用するための、請求項２５〜２８のいずれか１項に記載の物質および陽イオン性抗微生物ペプチドとを含む、生成物。
【請求項３３】
治療法によりヒトまたは動物の体を治療する方法において、同時にまたは連続的に使用するための、細菌の防御機構と陽イオン性抗微生物ペプチドのインヒビターとを含む生成物であって、ここで該防御機構は、細菌プロテイナーゼによりプロテオグリカンを分解して、陽イオン性抗微生物ペプチドに結合して該ペプチドの抗微生物活性を阻害することができるグリコサミノグリカンを放出する、上記生成物。
【請求項３４】
グリコサミノグリカンは、細菌プロテイナーゼによるプロテオグリカンの分解により放出される、請求項３３の生成物。
【請求項３５】
インヒビターは、グリコサミノグリカンと陽イオン性抗微生物ペプチドとの相互作用を阻止することができる、請求項３３または３４の生成物。
【請求項３６】
インヒビターは、細菌プロテイナーゼによるプロテオグリカンの分解を阻止することができる、請求項３３または３４の生成物。
【請求項３７】
インヒビターは、細菌プロテイナーゼによる陽イオン性抗微生物ペプチドの分解を阻止することができる、請求項３３または３４の生成物。
【請求項３８】
慢性または急性の細菌感染を治療する方法で使用するための医薬の製造における、請求項２５〜２８のいずれか１項に記載の物質、請求項２９または３０に記載の医薬組成物、または請求項３２〜３６のいずれか１項に記載の生成物の使用。
【請求項３９】
方法は、潰瘍を治療する方法である、請求項３８の物質の使用。
【請求項４０】
方法は、創傷治癒を促進する方法である、請求項３８の使用。
【請求項４１】
慢性または急性の細菌感染を治療する方法であって：
（ｉ）細菌による抗微生物ペプチドの不活性化を阻害する物質の同定、
（ｉｉ）必要な患者への治療上有効量の物質の投与、
を含む上記方法。
【発明の詳細な説明】
【０００１】
（発明の分野）
本発明は、慢性および急性の微生物感染症の治療に使用される物質に関する。本発明はまた、治療法、特に慢性および急性の微生物感染症の治療に有用な物質の同定方法に関する。
【０００２】
（発明の背景）
感染の間の１つの基本的な宿主防御機構は、微生物の白血球介在死滅に依存する。最近、膜破壊により種々のグラム陰性菌ならびにグラム陽性細菌を死滅させることができる一群の陽イオン性抗微生物ペプチドが、多くの生物の先天的な宿主防御系の重要な成分として考えられている。これらのペプチドは、感染を受ける生物学的境界に局在する好中球や上皮細胞中で見いだされる。
【０００３】
病原体は、この第一線の宿主防御を乗り越えて、急性ならびに慢性の一連の臨床的に重要な病状を発症させることができるようである。感染の間、細菌は、種々の方策を利用して宿主防御機構を乗り越える。細菌は、種々のプロテイナーゼを放出し、これらは、急性感染中に、カリクレイン、プラスミノーゲン、補体、サイトカイン、抗体、および抗プロテイナーゼを含む宿主の特定の経路を変化させる。細菌による外毒素の産生とタンパク質を変化させる細胞サイクルも報告されており、これは、宿主防御を易感染性にすることを目的とするさらなる経路である。
【０００４】
化膿連鎖球菌（Ｓｔｒｅｐｔｏｃｏｃｃｕｓ ｐｙｏｇｅｎｅｓ）のような細菌は、容易に創傷感染や丹毒を生じる。緑膿菌（Ｐｓｅｕｄｏｍｏｎａｓ ａｅｒｕｇｉｎｏｓａ）、エンテロコッカス・フェカーリス（Ｅｎｔｅｒｏｃｏｃｃｕｓ ｆａｅｃａｌｉｓ）および霊菌（Ｐｒｏｔｅｕｓ ｍｉｒａｂｉｌｉｓ）は、慢性の創傷中に存続することが知られている。これらの細菌はすべて、プロテオグリカン（ＰＧ）の豊富な結合組織中で増殖し繁殖する。
【０００５】
（発明の要約）
本発明者らは、細菌により分泌される細胞外プロテイナーゼが、例えば結合組織中に存在するようなプロテオグリカンを分解することにより、グリコサミノグリカンを放出することを証明した。次にグリコサミノグリカンは、好中球と上皮細胞により分泌される陽イオン性抗微生物ペプチドに結合し、これらの抗微生物ペプチドが細菌を死滅させることを妨害する。特に本発明者らは、デルマタン硫酸含有プロテオグリカン（例えば、デコリン）が、緑膿菌（Ｐｓｅｕｄｏｍｏｎａｓ ａｅｒｕｇｉｎｏｓａ）、エンテロコッカス・フェカーリス（Ｅｎｔｅｒｏｃｏｃｃｕｓ ｆａｅｃａｌｉｓ）、化膿連鎖球菌（Ｓｔｒｅｐｔｏｃｏｃｃｕｓ ｐｙｏｇｅｎｅｓ）および霊菌（Ｐｒｏｔｅｕｓ ｍｉｒａｂｉｌｉｓ）からの細菌プロテイナーゼにより分解されて、デルマタン硫酸を産生することを証明した。彼らは、デルマタン硫酸が好中球由来α−デフェンシンとＬＬ−３７に結合すること、そしてこの結合は、α−デフェンシンとＬＬ−３７の抗微生物活性を完全に中和することを証明した。従って、感染の間のグリコサミノグリカンの放出、例えばプロテオグリカン分解によるデルマタン硫酸の放出は、重要なかつ従来は知られていなかった細菌の防御機構であり、これは、新規な抗細菌法の標的となり得る。
【０００６】
従って本発明は、陽イオン性抗微生物ペプチドの抗微生物活性を増強するのに使用するための、プロテイナーゼ／グリコサミノグリカン経路の阻害作用を阻止する物質を提供する。
【０００７】
本発明はまた、プロテイナーゼ／グリコサミノグリカン経路の阻害作用を阻止することにより、陽イオン性抗微生物ペプチドの抗微生物活性を増強する物質の同定法であって：
（ｉ）第１の成分として、陽イオン性抗微生物ペプチドを提供し；
（ｉｉ）第２の成分として、細菌を提供し；
（ｉｉｉ）第３の成分として、プロテイナーゼ／グリコサミノグリカン経路の成分の一部またはすべてを提供し、こうして第３の成分が第１の成分（例えば、グリコサミノグリカン、または細菌、または細菌とプロテオグリカン、または細菌プロテイナーゼ、または細菌プロテイナーゼとプロテオグリカン）の抗微生物作用を低下させ；
（ｉｖ）第１、第２、および第３の成分を、第３の成分の非存在下で抗微生物物質による細菌の死滅を可能にし、試験物質の非存在下で第３の成分による第１の成分の抗微生物活性の阻害を可能にする条件下で、試験物質に接触させ；
（ｖ）細菌の生存を監視して、試験物質が抗微生物活性を増強することができるかどうか（抗微生物活性を増強することができる試験物質は、細菌の死滅を促進する）を決定する、ことを含む上記方法を提供する。
【０００８】
陽イオン性抗微生物ペプチドの阻害に至るプロテイナーゼ／グリコサミノグリカン経路は、２つ以上の段階で阻害することができ、結果としての細菌への作用を監視する必要無く、各段階で試験物質の阻害作用を監視してもよいことが理解されるであろう。特に試験物質は、グリコサミノグリカンと陽イオン性抗微生物ペプチドとの相互作用、グリコサミノグリカンの放出、例えばプロテオグリカンからのグリコサミノグリカンの細菌プロテイナーゼ活性化放出、または細菌プロテイナーゼによる陽イオン性抗微生物ペプチドの直接の分解を阻害する。従って、プロテイナーゼ／グリコサミノグリカン経路の阻害作用を阻止することにより、陽イオン性抗微生物ペプチドの抗微生物活性を増強する物質は、本発明により提供される以下のいずれか１つの方法により同定される：
【０００９】
−　グリコサミノグリカンと陽イオン性抗微生物ペプチドとの相互作用を阻害することができる物質を同定する方法であって：
（ｉ）第１の成分として、グリコサミノグリカンを提供し；
（ｉｉ）第２の成分として、陽イオン性抗微生物ペプチドを提供し；
（ｉｉｉ）第１および第２の成分を、試験物質の非存在下で第１および第２の成分が相互作用することを可能にする条件下で、試験物質に接触させ；そして
（ｉｖ）第１の成分と第２の成分の相互作用を監視して、こうして試験物質が第１の成分と第２の成分の相互作用を破壊することができるかどうかを決定する、ことを含む上記方法；
【００１０】
−　陽イオン性抗微生物ペプチドのグリコサミノグリカン介在阻害を阻止することができる物質を同定する方法であって：
（ｉ）第１の成分として、グリコサミノグリカンを提供し；
（ｉｉ）第２の成分として、陽イオン性抗微生物ペプチドを提供し；
（ｉｉｉ）第３の成分として、細菌を提供し；
（ｉｖ）第１、第２、および第３の成分を、第１の成分の非存在下で第２の成分による細菌の死滅を可能にし、試験物質の非存在下で第２の成分による細菌の死滅の、第１の成分による阻害を可能にする条件下で、試験物質に接触させ；そして
（ｖ）細菌の生存を監視し、こうして試験物質が陽イオン性抗微生物ペプチドのグリコサミノグリカン介在阻害を妨害することができるかどうかを決定する、ことを含む上記方法；
【００１１】
−　細菌プロテイナーゼによるプロテオグリカンの分解を阻害することができる物質を同定する方法であって：
（ｉ）第１の成分として、細菌プロテイナーゼを提供し；
（ｉｉ）第２の成分として、プロテオグリカンを提供し；
（ｉｉｉ）第１および第２の成分を、試験物質の非存在下で第１の成分による第２の成分の分解を可能にする条件下で、試験物質に接触させ；そして
（ｉｖ）第２の成分の分解を監視して、こうして試験物質が、プロテイナーゼによるプロテオグリカンの分解を阻害することができるかどうかを決定する、ことを含む上記方法；
【００１２】
−　細菌プロテイナーゼによる陽イオン性抗微生物ペプチドの分解を阻害することができる物質を同定する方法であって：
（ｉ）第１の成分として、細菌プロテイナーゼを提供し；
（ｉｉ）第２の成分として、陽イオン性抗微生物ペプチドを提供し；
（ｉｉｉ）第１および第２の成分を、試験物質の非存在下で第１の成分による第２の成分の分解を可能にする条件下で、試験物質に接触させ；そして
（ｉｖ）第２の成分の分解を監視して、こうして試験物質が、プロテイナーゼによる陽イオン性抗微生物ペプチドの分解を阻害することができるかどうかを決定する、ことを含む上記方法。
【００１３】
本発明はまた、以下を提供する：
−　グリコサミノグリカンと陽イオン性抗微生物ペプチドとの相互作用を阻害することができる物質の同定に使用するためのキットであって：
（ａ）グリコサミノグリカン；と
（ｂ）陽イオン性抗微生物ペプチド、とを含むキット；
【００１４】
−　細菌プロテイナーゼによるプロテオグリカンの分解を阻害することができる物質の同定に使用するためのキットであって：
（ａ）プロテオグリカン；と
（ｂ）細菌プロテイナーゼ、とを含むキット；
−　本発明の方法により同定される物質；
−　本発明の物質を含む医薬組成物；
−　治療法によりヒトまたは動物の体を治療する方法に使用するための本発明の物質または医薬組成物；
−　治療法によりヒトまたは動物の体を治療する方法において、同時にまたは連続的に使用するための本発明の物質と陽イオン性抗微生物ペプチドとを含む生成物；
【００１５】
−　治療法によりヒトまたは動物の体を治療する方法において、同時にまたは連続的に使用するための、細菌の防御機構のインヒビターと陽イオン性抗微生物ペプチドとを含む生成物（ここで、該防御機構は、細菌プロテイナーゼによりプロテオグリカンを分解して、陽イオン性抗微生物ペプチドに結合して該ペプチドの抗微生物活性を阻害することができるグリコサミノグリカンを放出する）；
−　慢性または急性の細菌感染を治療する方法で使用するための医薬の製造における、本発明の物質、医薬組成物または生成物の使用。
【００１６】
（配列表の簡単な説明）
配列番号１は、陽イオン性抗微生物ペプチドＬＬ−３７のアミノ酸配列である。
配列番号２は、陽イオン性抗微生物ペプチドα−デフェンシンのアミノ酸配列である。
【００１７】
（発明の詳細な説明）
本明細書と添付の請求の範囲を通して、「含んでなる」および「含む」という用語は、包括的であると理解されたい。すなわちこれらの用語は、文脈により、他の成分または整数を特に記載されていなくても含むことが可能であることを企図する。
【００１８】
本発明は、細菌の防御機構を妨害することにより陽イオン性抗微生物ペプチドの作用を増強する物質の同定法を提供する。細菌の防御機構は、グリコサミノグリカンの放出と、放出されたグリコサミノグリカンの陽イオン性抗微生物ペプチドへの結合を含む。グリコサミノグリカンの陽イオン性抗微生物ペプチドへの結合は、ペプチドの抗微生物活性（本明細書において、プロテイナーゼ／グリコサミノグリカン経路と呼ぶ）を阻害する。グリコサミノグリカンは、プロテオグリカンの分解により放出される。好ましくはプロテオグリカンは、細菌プロテイナーゼにより分解される。グリコサミノグリカン放出の他の機構には、内因性金属プロテイナーゼにより仲介されるプロテオグリカンの放出の増強、プロテオグリカンの産生の増加、および結合組織中の結合部位からのプロテオグリカンの排除がある。例えば、細菌プロテイナーゼは、内因性マトリックス金属プロテイナーゼを直接活性化する。妨害は、例えば、例えばプロテイナーゼ結合または活性を阻害することによる、またはグリコサミノグリカンの陽イオン性抗微生物ペプチドへの結合を阻止することによる、プロテオグリカンの分解の阻止でもよい。
【００１９】
陽イオン性抗微生物ペプチドは当該分野で公知である。例えば、レーラー（Ｌｅｈｒｅｒ， Ｒ．Ｊ．）とガンズ（Ｇａｎｚ， Ｔ．）（１９９９）、哺乳動物と昆虫宿主防御における抗微生物ペプチド、Ｃｕｒｒ Ｏｐｉｎ Ｉｍｍｕｎｏｌ １１：２３−２７を参照されたい。
【００２０】
陽イオン性抗微生物ペプチドは典型的には、細菌膜を破壊し従って細菌を死滅させることができる抗細菌性ペプチドである。陽イオン性抗微生物ペプチドは、外因性に加えてもよい。陽イオン性抗微生物ペプチドは好ましくは、感染部位で白血球および／または上皮細胞により産生される。好ましくは白血球は好中球である。陽イオン性抗微生物ペプチドは、好ましくはデフェンシンまたはカテリシジン（ｃａｔｈｅｌｉｃｉｄｉｎ）である。さらに好ましくは陽イオン性抗微生物ペプチドは、α−デフェンシン（配列番号２）またはＬＬ−３７（配列番号１）である。陽イオン性抗微生物ペプチドは、配列番号１または配列番号２の変種または断片を含み、この変種または断片は、抗微生物活性、好ましくは抗細菌活性を示す。例えば、陽イオン性抗微生物ペプチドは、図７で下線を引いた配列を含む配列番号１の断片でもよい。
【００２１】
本発明の方法で使用するために提供される陽イオン性抗微生物ペプチドは、任意の適当な供給源からのものである。例えば、陽イオン性抗微生物ペプチドは、組換えペプチドでも、陽イオン性抗微生物ペプチドは、白血球または上皮細胞から精製されても、または陽イオン性抗微生物ペプチドは、白血球、上皮細胞または培養物中で増殖させた組換えペプチドでトランスフェクションした細胞から抽出される増殖培地中に存在してもよい。ペプチドは、天然の配列を含んでも、人工的に変異させた配列を含んでもよい（ただし、変異は、ペプチドが細菌膜を破壊する能力またはグリコサミノグリカンと相互作用する能力に影響を与えないものとする）。
【００２２】
ペプチドが抗微生物活性を示すかどうかを調べるための典型的な測定法は、細菌、例えば緑膿菌（Ｐｓｅｕｄｏｍｏｎａｓ ａｅｒｕｇｉｎｏｓａ）、エンテロコッカス・フェカーリス（Ｅｎｔｅｒｏｃｏｃｃｕｓ ｆａｅｃａｌｉｓ）、化膿連鎖球菌（Ｓｔｒｅｐｔｏｃｏｃｃｕｓ ｐｙｏｇｅｎｅｓ）、霊菌（Ｐｒｏｔｅｕｓ ｍｉｒａｂｉｌｉｓ）または大腸菌（Ｅ． ｃｏｌｉ）を、ペプチドとインキュベートして、細菌の生存を監視することを含む。典型的には、抗微生物ペプチドは、４μｇ／ｍｌからの濃度、例えば４μｇ／ｍｌ、５μｇ／ｍｌ、１０μｇ／ｍｌ、２０μｇ／ｍｌ、４０μｇ／ｍｌ、１００μｇ／ｍｌ、または５００μｇ／ｍｌの濃度で、細菌を有効に死滅させる。
【００２３】
細菌の生存は、適当な方法により監視される。典型的にはコロニー形成単位の数が測定される。細菌の生存はまた、宿主動物または宿主細胞への細菌の作用を評価することにより、間接的に監視してもよい。
【００２４】
細菌は任意の適当な株でよい。細菌は、グラム陰性でもグラム陽性でもよい。好ましくは細菌株は、ヒトまたは動物の感染部位に見いだされるものである。好ましくは感染部位は、皮膚または粘膜のようなヒトまたは動物への病原体の侵入の障壁になるようなものである。好ましくは細菌は、緑膿菌（Ｐｓｅｕｄｏｍｏｎａｓ ａｅｒｕｇｉｎｏｓａ）、エンテロコッカス・フェカーリス（Ｅｎｔｅｒｏｃｏｃｃｕｓ ｆａｅｃａｌｉｓ）、化膿連鎖球菌（Ｓｔｒｅｐｔｏｃｏｃｃｕｓ ｐｙｏｇｅｎｅｓ）、または霊菌（Ｐｒｏｔｅｕｓ ｍｉｒａｂｉｌｉｓ）である。
【００２５】
本発明の方法または本明細書に記載の測定法において、任意の適当な細菌調製物を使用することができる。例えば細菌は、ＴＨ培地またはＣ培地中で対数中期まで増殖してもよい。次に細菌を、例えば５ｍＭグルコースを含有する１０ｍＭトリス−塩酸（ｐＨ７．５）中で洗浄し、希釈する。典型的には、１測定当たり５μｌ〜５００μｌの細菌、好ましくは１０μｌ〜１００μｌの細菌（２×１０６ ｃｆｕ／ｍｌ）を使用する。細菌と抗微生物ペプチド、抗微生物ペプチドとグリコサミノグリカン、抗微生物ペプチドと試験物質または抗微生物ペプチド、グリコサミノグリカンと試験物質のインキュベーションは、典型的には３７℃で３０分〜６時間、好ましくは２時間〜４時間行われる。抗微生物活性は、任意の適当な方法により定量され、例えばインキュベーション混合物の連続希釈物を作成し、希釈物を寒天（例えばＴＨ寒天）上に蒔き、３７℃でインキュベートし（好ましくは一晩）、産生されたコロニー形成単位（ＣＦＵ）の数を測定することにより、定量される。
【００２６】
本発明の方法での使用に適したグリコサミノグリカンは、ペプチドの抗微生物機能が阻害されるように、陽イオン性抗微生物ペプチドと相互作用することができる。グリコサミノグリカンは、典型的には内因性グリコサミノグリカンである。グリコサミノグリカンは、好ましくはヘパラン硫酸またはヘパリンであり、さらに好ましくはデルマタン硫酸である。好ましくは本発明の方法での使用に適したグリコサミノグリカンは、高度の硫酸化および／またはイズロン酸含量を示す。イズロン酸含量は、典型的には少なくとも５０％、例えば少なくとも６０％、少なくとも７０％、少なくとも８０％、または少なくとも９０％である。硫酸化の程度は、少なくとも５０％、例えば少なくとも６０％、少なくとも７０％、少なくとも８０％、または少なくとも９０％である。本発明の方法で使用するためのグリコサミノグリカンはまた、追加の修飾を含有してもよく、例えばイズロン酸は２−Ｏ−硫酸化されてもよい。
【００２７】
グリコサミノグリカンが陽イオン性抗微生物ペプチドと相互作用することができるかどうかを決定するための典型的な測定法には、陽イオン性抗微生物ペプチドを例えばニトロセルロース上に固定化し、放射能標識グリコサミノグリカンとプローブ結合させる方法がある。好ましくはグリコサミノグリカンのペプチドへの結合は、過剰の非標識デルマタン硫酸で阻害される。
【００２８】
グリコサミノグリカンペプチドが陽イオン性抗微生物ペプチドの抗微生物活性を阻害することができるかどうかを決定するための典型的な測定法には、細菌、例えば緑膿菌（Ｐｓｅｕｄｏｍｏｎａｓ ａｅｒｕｇｉｎｏｓａ）、エンテロコッカス・フェカーリス（Ｅｎｔｅｒｏｃｏｃｃｕｓ ｆａｅｃａｌｉｓ）、化膿連鎖球菌（Ｓｔｒｅｐｔｏｃｏｃｃｕｓ ｐｙｏｇｅｎｅｓ）または霊菌（Ｐｒｏｔｅｕｓ ｍｉｒａｂｉｌｉｓ）の調製物または培養物を、グリコサミノグリカンおよびペプチドとインキュベートし、細菌の死滅を監視する方法がある。典型的には抗微生物ペプチドは、グリコサミノグリカンの非存在下で細菌を有効に死滅させる濃度で加えられるであろう。典型的にはグリコサミノグリカンは、細菌のペプチド介在死滅を、１０μｇ／ｍｌ〜１ｍｇ／ｍｌ、さらに好ましくは１０μｇ／ｍｌ〜５００μｇ／ｍｌ、または最も好ましくは２０μｇ／ｍｌ〜２５０μｇ／ｍｌの濃度で阻害する。グリコサミノグリカンと陽イオン性抗微生物ペプチドとのモル比は、典型的には０．１：１から１０００：１、好ましくは０．５：１から１００：１、およびさらに好ましくは０．５：１から１０：１である。グリコサミノグリカンは、ペプチドの抗微生物活性を部分的にのみ阻害してもよい。好ましくはグリコサミノグリカンは抗微生物活性を、少なくとも２％、例えば少なくとも６％、少なくとも１６％、少なくとも３０％、または少なくとも４０％阻害する。さらに好ましくは抗微生物活性はグリコサミノグリカンにより、少なくとも５０％、例えば少なくとも６０％、少なくとも７０％、少なくとも８０％、少なくとも９０％、または少なくとも９９％阻害される。
【００２９】
グリコサミノグリカンは、任意の特定の供給源から得られる。好ましくはグリコサミノグリカンは、真皮（皮膚）または軟骨のような結合組織から得られる。グリコサミノグリカンは、任意の適当な方法により調製され、例えばローデン（Ｌ． Ｒｏｄｅｎ）、ベーカー（Ｊ． Ｂａｋｅｒ）、シフォネッリ（Ｊ．Ａ． Ｃｉｆｏｎｅｌｌｉ）、マシューズ（Ｍ．Ｂ． Ｍａｔｈｅｗｓ）、Ｍｅｔｈｏｄｓ ｉｎ Ｅｎｚｙｍｏｌｏｇｙ、ギンズバーグ（Ｖ． Ｇｉｎｓｂｕｒｇ）編（アカデミックプレス（Ａｃａｄｅｍｉｃ Ｐｒｅｓｓ）、ニューヨーク、１９７３年）、第２８巻、７３〜１４０頁、フランソン（Ｌ．−Ａ． Ｆｒａｎｓｓｏｎ）、ニーヅスジンスキー（Ｉ．Ａ． Ｎｉｅｄｕｓｚｙｎｓｋｉ）、フェルプス（Ｃ．Ｆ． Ｐｈｅｌｐｓ）、シーハン（Ｊ．Ｋ． Ｓｈｅｅｈａｎ）、Ｂｉｏｃｈｉｍ． Ｂｉｏｐｈｙｓ． Ａｃｔａ．， ５８６， １７９ （１９７９）、 またはフランソン（Ｌ．−Ａ． Ｆｒａｎｓｓｏｎ）、シェーバーグ（Ｉ． Ｓｊｏｂｅｒｇ）、ハブスマーク（Ｂ． Ｈａｖｓｍａｒｋ）、Ｅｕｒ． Ｊ． Ｂｉｏｃｈｅｍ．， １０６， ５９ （１９８０）に記載されている。
【００３０】
典型的には、本発明の方法で使用するためのグリコサミノグリカンは、１つ以上のプロテイナーゼ、例えば細菌プロテイナーゼの、１つ以上のプロテオグリカンへの作用により産生される。グリコサミノグリカンは、適当な細菌プロテイナーゼと適当なプロテオグリカンを提供することにより、間接的に提供されてよい。プロテオグリカンは、繊維芽細胞培養物の細胞外生成物でもよい。好ましくはプロテオグリカンは、ヘパリン、ヘパラン硫酸、または好ましくはデルマタン硫酸を含む。好ましくはプロテオグリカンは、ビグリカン（ｂｉｇｌｙｃａｎ）、シンデカン（ｓｙｎｄｅｃａｎ）、グリピカン（ｇｌｙｐｉｃａｎ）またはＣＤ４４である。さらに好ましくはプロテオグリカンは、デコリン（ｄｅｃｏｒｉｎ）またはベルシカン（ｖｅｒｓｉｃａｎ）である。
【００３１】
プロテオグリカンが細菌プロテイナーゼにより分解されるかどうかを決定するための典型的な測定法には、プロテオグリカンを３５Ｓで放射能標識し、標識プロテオグリカンを細菌プロテイナーゼとともにインキュベートし、インキュベーション前に取った標識プロテオグリカンの試料とインキュベーション後に取った試料を、ＳＤＳ−ポリアクリルアミドゲルに流し、標識プロテオグリカンと分解生成物の相対的サイズと量を測定する方法がある。例えば、もし細菌プロテイナーゼがシステインプロテイナーゼなら、還元剤（例えばＤＴＴ）をインキュベーション混合物中に含めることが必要かも知れない。プロテオグリカンは、任意の適当な供給源から取られ、例えば繊維芽細胞培養物の細胞外生成物でもよい。好ましくはプロテオグリカンは、８０〜５００ｋＤａ、好ましくは約１００ｋＤａまたは約４００ｋＤａの分子量を有する。分解産物は、好ましくは３０〜５０ｋＤａの分子量を有し、これは遊離のまたはペプチド結合グリコサミノグリカン鎖に対応する。
【００３２】
本明細書に記載の測定法に、任意の好適なプロテアーゼが使用できる。好ましくはプロテアーゼは、細菌プロテイナーゼである。任意の細菌調製物または細菌培養物が、細菌プロテイナーゼの供給源として使用される。細菌は、任意の適当な手段により刺激してプロテイナーゼを産生させてもよい。細菌の培養物からの増殖培地が使用できる。典型的には、細菌は、液体培地（例えば、ＴＨ培地またはＣ培地）中で静止期まで増殖される。本発明の方法で使用するのに適した増殖培地は、遠心分離により細菌をペレット化し、例えば、直径０．２μｍ〜０．４μｍのフィルターを使用して上清をろ過することにより得られる。あるいは細菌プロテイナーゼは、増殖培地から単離される。細菌プロテイナーゼを単離するのに、任意の適当な方法が使用される。例えばプロテイナーゼは、硫酸アンモニウム沈殿、透析、および適当なカラム（例えば、ハイＱ陰イオン交換クロマトグラフィー）で分離することにより調製される。あるいはプロテイナーゼは、ハーワルト（Ｈ． Ｈｅｒｗａｌｄ）、コリン（Ｍ． Ｃｏｌｌｉｎ）、ムラー−エスタール（Ｍｕｌｌｅｒ−Ｅｓｔｅｒｌ）、ビヨルク（Ｌ． Ｂｊｏｒｃｋ）、Ｊ． Ｅｘｐ． Ｍｅｄ． １８４， ６６５ （１９９６）に記載のように調製される。本発明での使用に適した細菌プロテイナーゼには、緑膿菌（Ｐｓｅｕｄｏｍｏｎａｓ ａｅｒｕｇｉｎｏｓａ）エラスターゼ、緑膿菌（Ｐｓｅｕｄｏｍｏｎａｓ ａｅｒｕｇｉｎｏｓａ）アルカリ性プロテイナーゼ、エンテロコッカス・フェカーリス（Ｅｎｔｅｒｏｃｏｃｃｕｓ ｆａｅｃａｌｉｓ）ゲラチナーゼ、および化膿連鎖球菌（Ｓｔｒｅｐｔｏｃｏｃｃｕｓ ｐｙｏｇｅｎｅｓ）システインプロテイナーゼがある。
【００３３】
本発明により提供される陽イオン性抗微生物ペプチド活性を増強する物質の同定法は、グリコサミノグリカンと陽イオン性抗微生物ペプチドとの相互作用を阻害することができる物質の同定法を含む。そのような方法は基本的に以下からなる：
（ｉ）第１の成分として、グリコサミノグリカンを提供し；
（ｉｉ）第２の成分として、陽イオン性抗微生物ペプチドを提供し；
（ｉｉｉ）第１および第２の成分を、試験物質の非存在下で第１および第２の成分が相互作用することを可能にする条件下で、試験物質に接触させ；そして
（ｉｖ）第１の成分と第２の成分の相互作用を監視して、こうして試験物質が第１の成分と第２の成分の相互作用を破壊することができるかどうかを決定する。
【００３４】
この方法での使用に適したグリコサミノグリカンと陽イオン性抗微生物ペプチドは、既に本明細書に記載されている。第１および第２の成分を試験物質に接触させるために、任意の適当な条件が使用される。典型的には、陽イオン性ペプチドは、例えばニトロセルロース膜またはポリアクリルアミドゲル（これは好ましくは非変性性である）上に固定化され、固定化されたペプチドは、グリコサミノグリカンおよび試験物質とインキュベートされる。グリコサミノグリカンの固定化ペプチドへの結合、従って結合に対して試験物質が競合する能力は、任意の適当な手段により監視される。例えばグリコサミノグリカンは、例えば３５Ｓで放射能標識され、固定化ペプチドに結合した放射能標識グリコサミノグリカンは、任意の適当な手段（例えば、シンチレーション計測、ホスホリメージャー（ｐｈｏｓｐｈｏｒｉｍａｇｅｒ）、またはＸ線フィルム）を使用して検出される。好ましくは、同一の条件下で、好ましくは同時に、試験物質有りでおよび無しで実験を行い、実験の結果を比較して、試験物質がグリコサミノグリカンのペプチドへの結合の低下を引き起こすかどうかを決定する。一般に試験物質は、過剰に加えられる。好ましくは試験物質は、グリコサミノグリカンのペプチドへの結合を、少なくとも２０％、少なくとも３０％、少なくとも４０％、少なくとも５０％、少なくとも６０％、少なくとも７０％、少なくとも８０％、少なくとも９０％、少なくとも９５％、少なくとも９９％低下させるか、またはグリコサミノグリカンのペプチドへの結合を、物質の濃度０．１ｍｇ／ｍｌ、１ｍｇ／ｍｌ、１０ｍｇ／ｍｌ、１００ｍｇ／ｍｌ、５００ｍｇ／ｍｌ、１ｍｇ／ｍｌ、１０ｍｇ／ｍｌ、１００ｍｇ／ｍｌ、または０．１ｇ／ｍｌで、実質的に妨害する。生成物の相互作用の程度と濃度の上記の低下パーセントの任意の組合せが、本発明の物質を規定するのに使用され、より低濃度でのより大きな分解が好ましい。本発明の好適な物質は、１ｍｇ／ｍｌまたは０．５ｍｇ／ｍｌの濃度で少なくとも５０％レベルの阻害を示すものである。
【００３５】
本発明により提供される陽イオン性抗微生物ペプチド活性を増強する物質の同定法は、陽イオン性抗微生物ペプチドの抗微生物活性へのグリコサミノグリカンの阻害作用を阻止することができる物質を同定する方法を含む。そのような方法は基本的に以下からなる：
（ｉ）第１の成分として、グリコサミノグリカンを提供し；
（ｉｉ）第２の成分として、陽イオン性抗微生物ペプチドを提供し；
（ｉｉｉ）第３の成分として、細菌を提供し；
（ｉｖ）第１、第２、および第３の成分を、第１の成分の非存在下で第２の成分による細菌の死滅を可能にし、試験物質の非存在下で第２の成分による細菌の死滅の、第１の成分による阻害を可能にする条件下で、試験物質に接触させ；そして
（ｖ）細菌の死滅を監視し、こうして試験物質が陽イオン性抗微生物ペプチドのグリコサミノグリカン介在阻害を妨害することができるかどうかを決定する。
【００３６】
工程（ｉｖ）において第１および第２の成分は、まず試験物質と接触し、次に第３の成分と接触してもよい。第１および第２の成分を試験物質と接触させた後の適当な時間、例えば０〜４時間後、例えば３０秒後、１分後、５分後、１５分後、３０分後、または１時間後に、第３の成分を、第１の成分、第２の成分、および試験物質の混合物に接触させてもよい。
【００３７】
試験物質をまず、陽イオン性抗微生物ペプチドの活性に対する直接作用について試験してもよい。好ましくは、陽イオン性抗微生物ペプチド活性を阻害しない試験物質のみが、殺菌測定法で使用される。
【００３８】
この方法での使用に適したグリコサミノグリカン、陽イオン性抗微生物ペプチドおよび細菌調製物は、既に記載されている。第１、第２、および第３の成分を試験物質に接触させるために、任意の適当な条件が使用される。典型的には、１測定について、５μｌ〜５００μｌの細菌、好ましくは１０μｌ〜１００μｌの細菌（２×１０６ ｃｆｕ／ｍｌ）が使用される。この３つの成分は典型的には、３７℃で３０分〜６時間、好ましくは２時間〜４時間インキュベートされる。細菌の死滅の監視は、公知の方法により行われ、例えばインキュベーション混合物の連続希釈物を作成し、希釈物を寒天（例えばＴＨ寒天）上に蒔き、３７℃で、好ましくは一晩インキュベートし、産生されたコロニー形成単位（ＣＦＵ）の数を測定することにより定量される。好ましくは３つの測定［１つは、第２の成分（抗微生物ペプチド）のみを含有し、１つは、第１および第２の成分（グリコサミノグリカンと抗微生物ペプチド）のみを含有し、１つはすべての３つの成分を含有する］を、同一の条件下でかつ好ましくは同時に行う。３つの測定の結果を定量し、結果を比較して、グリコサミノグリカンによる抗微生物活性の阻害を阻止する試験物質の有効性を決定する。好ましくは試験物質は、ペプチドの抗微生物活性に対するグリコサミノグリカンの阻止作用を、少なくとも２０％、少なくとも３０％、少なくとも４０％、少なくとも５０％、少なくとも６０％、少なくとも７０％、少なくとも８０％、少なくとも９０％、少なくとも９５％、少なくとも９９％逆転させるか、または陽イオン性抗微生物ペプチド活性の阻害を、物質の濃度０．１ｍｇ／ｍｌ、１ｍｇ／ｍｌ、１０ｍｇ／ｍｌ、１００ｍｇ／ｍｌ、５００ｍｇ／ｍｌ、１ｍｇ／ｍｌ、１０ｍｇ／ｍｌ、１００ｍｇ／ｍｌ、または０．１ｇ／ｍｌで、実質的に妨害する。阻害の程度と生成物の濃度の上記の低下パーセントの任意の組合せが、本発明の物質を規定するのに使用され、より低濃度でのより大きな分解が好ましい。本発明の好適な物質は、１ｍｇ／ｍｌまたは０．５ｍｇ／ｍｌの濃度で少なくとも５０％レベルの阻害を示すものである。
【００３９】
第２の成分の分解もまた、既に本明細書に記載の測定法を使用して、試験物質の存在下と非存在下で、陽イオン性抗微生物ペプチドによる細菌の死滅を監視することにより、間接的に監視される。
【００４０】
本発明により提供される陽イオン性抗微生物ペプチド活性を増強する物質の同定法は、例えば細菌プロテイナーゼによるプロテオグリカンの分解を阻止することにより、グリコサミノグリカン（次にグリコサミノグリカンは、陽イオン性抗微生物ペプチドと自由に相互作用する）の放出を阻害することができる物質を同定する方法を含む。そのような方法は基本的に以下からなる：
（ｉ）第１の成分として、細菌プロテイナーゼを提供し；
（ｉｉ）第２の成分として、プロテオグリカンを提供し；
（ｉｉｉ）第１および第２の成分を、試験物質の非存在下で第１の成分による第２の成分の分解を可能にする条件下で、試験物質に接触させ；そして
（ｉｖ）第２の成分の分解を監視して、こうして試験物質が、プロテイナーゼによるプロテオグリカンの分解を阻害することができるかどうかを決定する。
【００４１】
適当な第１および第２の成分、およびプロテオグリカンが細菌プロテイナーゼにより分解されるかどうかを決定するための測定法は、既に本明細書に記載されている。好ましくは２つの測定（１つは、試験物質を含み、１つは試験物質を含まない）を、同一の条件下で行う。次に、２つの測定の間の分解生成物の相対量および／または非分解プロテオグリカンの相対量を比較して、試験物質による分解の阻害程度を決定する。各生成物の相対量は、ホスホリメージャー（ｐｈｏｓｐｈｏｒｉｍａｇｅｒ）を使用して定量される。好ましくは、プロテイナーゼによるプロテオグリカンの分解を阻害する試験物質は、プロテオグリカンの分解を、少なくとも２０％、少なくとも３０％、少なくとも４０％、少なくとも５０％、少なくとも６０％、少なくとも７０％、少なくとも８０％、少なくとも９０％、少なくとも９５％、少なくとも９９％低下させるか、または物質の濃度０．１ｍｇ／ｍｌ、１ｍｇ／ｍｌ、１０ｍｇ／ｍｌ、１００ｍｇ／ｍｌ、５００ｍｇ／ｍｌ、１ｍｇ／ｍｌ、１０ｍｇ／ｍｌ、１００ｍｇ／ｍｌ、または０．１ｇ／ｍｌで、実質的に妨害する。相互作用の程度と生成物の濃度の上記の低下パーセントの任意の組合せが、本発明の物質を規定するのに使用され、より低濃度でのより大きな分解が好ましい。本発明の好適な物質は、１ｍｇ／ｍｌまたは０．５ｍｇ／ｍｌの濃度で少なくとも５０％レベルの阻害を示すものである。
【００４２】
本発明により提供される陽イオン性抗微生物ペプチド活性を増強する物質の同定法は、細菌プロテイナーゼによる陽イオン性抗微生物ペプチドの分解を妨害することができる物質の同定法を含む。そのような方法は基本的に以下からなる：
（ｉ）第１の成分として、細菌プロテイナーゼを提供し；
（ｉｉ）第２の成分として、陽イオン性抗微生物ペプチドを提供し；
（ｉｉｉ）第１および第２の成分を、試験物質の非存在下で第１の成分による第２の成分の分解を可能にする条件下で、試験物質に接触させ；そして
（ｉｖ）第２の成分の分解を監視して、こうして試験物質が、プロテイナーゼによる陽イオン性抗微生物ペプチドの分解を阻害することができるかどうかを決定する。
【００４３】
適当な第１および第２の成分は、既に本明細書に記載されている。陽イオン性抗微生物ペプチドが細菌プロテイナーゼにより分解されるかどうかを決定する典型的な測定法は、ペプチドを３５Ｓで放射能標識し、標識ペプチドを細菌プロテイナーゼとインキュベートし、インキュベーション前に取った標識ペプチドの試料とインキュベーション後に取った試料をＳＤＳ−ポリアクリルアミドゲルに流し、標識ペプチドと分解生成物の相対量を測定する方法がある。例えば、もし細菌プロテイナーゼがシステインプロテイナーゼなら、還元剤（例えばＤＴＴ）をインキュベーション混合物中に含めることが必要かも知れない。好ましくは２つの測定（１つは、試験物質を含み、１つは試験物質を含まない）を、同一の条件下で行う。次に、２つの測定の間の分解生成物の相対量および／または非分解ペプチドの相対量を比較して、試験物質による分解の阻害程度を決定する。各生成物の相対量は、ホスホリメージャー（ｐｈｏｓｐｈｏｒｉｍａｇｅｒ）を使用して定量される。好ましくは、プロテイナーゼによるペプチドの分解を阻害する試験物質は、ペプチドの分解を、少なくとも２０％、少なくとも３０％、少なくとも４０％、少なくとも５０％、少なくとも６０％、少なくとも７０％、少なくとも８０％、少なくとも９０％、少なくとも９５％、少なくとも９９％低下させるか、またはペプチドの分解を、物質の濃度０．１ｍｇ／ｍｌ、１ｍｇ／ｍｌ、１０ｍｇ／ｍｌ、１００ｍｇ／ｍｌ、５００ｍｇ／ｍｌ、１ｍｇ／ｍｌ、１０ｍｇ／ｍｌ、１００ｍｇ／ｍｌ、または０．１ｇ／ｍｌで、実質的に妨害する。相互作用の程度と生成物の濃度の上記の低下パーセントの任意の組合せが、本発明の物質を規定するのに使用され、より低濃度でのより大きな分解が好ましい。本発明の好適な物質は、１ｍｇ／ｍｌまたは０．５ｍｇ／ｍｌの濃度で少なくとも５０％レベルの阻害を示すものである。
【００４４】
ペプチド分解を監視するための他の適当な方法には、タンパク質染色、免疫ブロッティング、および放射性ヨード化がある。ペプチド分解はまた、機能的測定法、例えば分解産物に残存抗細菌活性があるかどうかを調べる方法により監視される。抗細菌活性は、殺菌測定法を使用して、コロニー形成単位（ｃｆｕ）を測定することにより決定される。
【００４５】
第２の成分の分解はまた、既に本明細書に記載の測定法を使用して、試験物質の存在下および非存在下で、陽イオン性抗微生物ペプチドによる細菌の死滅を監視することにより、間接的に監視される。
【００４６】
本発明はまた、陽イオン性抗微生物ペプチド活性を増強する試験物質を同定するためのキットを提供し、このキットは以下を含む：
（ｉ）グリコサミノグリカン；および
（ｉｉ）陽イオン性抗微生物ペプチド。
【００４７】
キットはさらに以下を含む：
（ｉｉｉ）細菌試料；および／または
（ｉｖ）試験物質が、グリコサミノグリカンと陽イオン性抗微生物ペプチドとの相互作用を阻害するかどうかを決定するための手段。
【００４８】
本発明はまた、陽イオン性抗微生物ペプチド活性を増強する試験物質を同定するためのキットを提供し、このキットは以下を含む：
（ｉ）プロテオグリカン；
（ｉｉ）細菌プロテイナーゼ。
【００４９】
キットはさらに以下を含んでよい：
（ｉｉ）試験物質が、細菌プロテイナーゼによるプロテオグリカンの分解を阻害するかどうかを決定するための手段。
【００５０】
本発明により提供されるキットはまた以下を含む：
（ｖ）または（ｉｖ）陽イオン性抗微生物ペプチド活性を増強する試験物質の能力を決定するための測定法を実施するための説明書。
【００５１】
「物質」という用語は、単一の物質、および２、３またはそれ以上の物質の組合せを含むことを企図する。例えばこの用語は、単一のペプチド、２つ以上のペプチドの混合物、またはペプチドと規定される化学的物質との混合物を含んでよい。
【００５２】
任意の適当な試験物質を本発明の方法で使用することができる。好ましくは試験物質は、真核細胞に対して非毒性である。上記測定法で試験される好適な試験物質には、炭水化物、化学的修飾（例えば、硫酸化および／またはカルボキシル化）を有する炭水化物骨格を含む分子、ペプチド、およびペプチド模倣物を含むことができる。特に好適な試験物質には、放出されたグリコサミノグリカンのスカベンジャーとして機能性する陽イオン性物質、ポリエチレンイミン、プロタミン、ポリブレン、ポリ−Ｌ−リジン、ポリ−Ｌ−アルギニン、キトサンおよびポリミキシンがある。他の適当な試験物質には、コンビナトリアルライブラリー、規定された化学的物質、オリゴヌクレオチドおよび例えばディスプレイライブラリー（例えば、ファージディスプレイライブラリー）のような天然産物ライブラリーがある。さらに抗体生成物（例えば、モノクローナル抗体およびポリクローナル抗体、１本鎖抗体、キメラ抗体、ＣＤＲ移植抗体、およびヒト化抗体）、またはこれらの断片が使用される。適当な試験物質の例を表１に示す。
【００５３】
【表１】
2004504603.tif 000003
【表２】
2004504603.tif 000004
【００５４】
炭水化物試験物質は、単糖、二糖、オリゴ糖、または多糖でよい。例えばコンドロイチン硫酸のポリマー［ＧｌｃＡ−ＧａｌＮＡｃ］ｎ またはデルマタン硫酸。好ましくは炭水化物試験物質は、陽イオン性抗微生物ペプチドに、その抗微生物活性に影響を与えることなく結合することができる。
【００５５】
ペプチド試験物質は、陽イオン性抗微生物ペプチドの模倣物でもよい。好ましくは模倣物は、グリコサミノグリカンおよび／またはプロテアーゼに結合することができて、グリコサミノグリカンおよび／またはプロテアーゼを封鎖し、こうしてグリコサミノグリカンおよび／またはプロテアーゼが、陽イオン性抗微生物ペプチドと相互作用することを防ぐ。模倣物は、グリコサミノグリカンに結合する陽イオン性抗微生物ペプチドの領域のみでなく、抗微生物活性を有するペプチドの領域も模倣する。試験ペプチドはまた、任意の他のアミノ酸配列を含有してもよい。好ましくはペプチドは、グリコサミノグリカンおよび／またはプロテアーゼと相互作用して、これらが陽イオン性抗微生物ペプチドと結合するのを妨害することを可能にするアミノ酸配列を含む。
【００５６】
試験物質は、例えば１回の反応につき１０個の物質の最初のスクリーニングで使用され、阻害または活性化を示すこれらのバッチの物質が個々に試験される。試験物質は、１ｎＭ〜１０００μＭ、好ましくは１μＭ〜１００μＭ、または５μＭ〜５０μＭ、さらに好ましくは１μＭ〜１０μＭの濃度で使用される。
【００５７】
本発明はまた、治療法によりヒトまたは動物の体を治療する方法において同時にまたは連続的に使用するための、細菌プロテイナーゼ／グリコサミノグリカン防御経路のインヒビターと陽イオン性抗微生物ペプチドを含有する。
【００５８】
インヒビターは、グリコサミノグリカンと陽イオン性抗微生物ペプチドとの相互作用を阻止することができ、細菌プロテイナーゼによるプロテオグリカンの分解を阻止することができ、または細菌プロテイナーゼによる陽イオン性抗微生物ペプチドの分解を阻止することができる。グリコサミノグリカンと陽イオン性抗微生物ペプチドとの相互作用を阻止することができるインヒビターは、グリコサミノグリカンに結合して、これが陽イオン性抗微生物ペプチドに結合することを妨害するか、または陽イオン性抗微生物ペプチドに結合して、ペプチドがその抗微生物活性を保持するが、阻害性グリコサミノグリカンには結合できないようにする。
【００５９】
好適なインヒビターには、炭水化物、化学的修飾（例えば、硫酸化および／またはカルボキシル化）を有する炭水化物骨格を含む分子、ペプチド、およびペプチド模倣物を含む。他の適当なインヒビターには、コンビナトリアルライブラリー、規定された化学的物質、オリゴヌクレオチドおよび、例えば、ディスプレイライブラリー（例えば、ファージディスプレイライブラリー）のような天然産物ライブラリーがある。
【００６０】
インヒビターは、陽イオン性抗微生物ペプチドの模倣物、例えばペプチドでもよい。好ましくは模倣物は、グリコサミノグリカンおよび／またはプロテアーゼに結合することができて、グリコサミノグリカンおよび／またはプロテアーゼを封鎖し、こうしてグリコサミノグリカンおよび／またはプロテアーゼが、陽イオン性抗微生物ペプチドと相互作用することを防ぐ。インヒビターは、グリコサミノグリカンに結合する陽イオン性抗微生物ペプチドの領域のみでなく、抗微生物活性を有するペプチドの領域も模倣する。好ましくは模倣物は、グリコサミノグリカンおよび／またはプロテアーゼと相互作用して、これらが陽イオン性抗微生物ペプチドと結合することを妨害することを可能にするアミノ酸配列を含む。
【００６１】
インヒビターは好ましくは、単糖、二糖、オリゴ糖、または多糖である。さらに好ましくはインヒビターは、例えばポリエチレンイミン、プロタミン、ポリブレン、ポリ−Ｌ−リジン、ポリ−Ｌ−アルギニン、キトサンまたはポリミキシンのような陽イオン性物質である。好ましくはインヒビターは、陽イオン性抗微生物ペプチドに、その抗微生物活性に影響を与えることなく結合することができる。
【００６２】
陽イオン性抗微生物ペプチドは、細菌膜を破壊し、こうして細菌を死滅させることができるペプチドである。好ましくは陽イオン性抗微生物ペプチドは、感染部位で白血球および／または上皮細胞により産生される。好ましくは白血球は好中球である。陽イオン性抗微生物ペプチドは好ましくは、デフェンシンまたはＬＬ−３７のような陽イオン性抗細菌性ペプチドである。さらに好ましくは陽イオン性抗微生物ペプチドはα−デフェンシンである。本発明の方法での使用のために提供される陽イオン性抗微生物ペプチドは、任意の適当な供給源から得られる。例えば、陽イオン性抗微生物ペプチドは、組換えペプチドでも、陽イオン性抗微生物ペプチドは、白血球または上皮細胞から精製されるか、または陽イオン性抗微生物ペプチドは、白血球、上皮細胞または培養物中で増殖させた組換えペプチドでトランスフェクションした細胞から抽出される増殖培地中に存在してもよい。ペプチドは、インビトロタンパク質合成により産生されてもよい。ペプチドは、天然の配列を含んでも、人工的に変異させた配列を含んでもよい（ただし、変異は、ペプチドが細菌膜を破壊する能力またはグリコサミノグリカンと相互作用する能力に影響を与えないものとする）。
【００６３】
本発明はまた、治療法によりヒトまたは動物の体を治療する方法において同時にまたは連続的に使用するための、細菌プロテイナーゼ／グリコサミノグリカン防御経路の２つ以上のインヒビターを含有する生成物を提供する。さらに本発明は、治療法によりヒトまたは動物の体を治療する方法において同時にまたは連続的に使用するための、２つ以上の本発明の物質を含有する生成物を提供する。
【００６４】
本発明により同定される物質と本発明の生成物は、治療法によりヒトまたは動物の体を治療する方法において使用される。特にそのような物質および生成物は、急性または慢性の細菌感染症の治療、潰瘍（例えば、慢性静脈潰瘍）の治療、および創傷の治療に使用される。潰瘍と他の創傷は、治癒を遅らせる細菌で感染されることがある。従って細菌の根絶により創傷治癒が促進される。本発明により同定される物質を使用して治療される他の創傷には、熱傷創、目、肺および尿路感染症、および無傷の皮膚の細菌感染症がある。任意の潰瘍（例えば、胃潰瘍）が、本発明の方法により同定される物質により治療される。本発明の物質と生成物はまた、無菌の創傷が細菌に感染されることを防ぐのに使用される。そのような物質と生成物はまた、急性もしくは慢性の感染の治療法、潰瘍の治療、または創傷治癒の促進法で使用される薬剤の製造のために使用できる。急性もしくは慢性の感染患者または潰瘍または創傷の患者の症状は、本発明の物質または生成物を投与することにより改善することができる。治療上有効量の本発明の物質または生成物は、必要とする宿主に投与される。物質は、例えば好中球により放出されるような天然に存在する（内因性）陽イオン性抗微生物ペプチドを増強してもよい。あるいは外因性陽イオン性抗微生物ペプチドと一緒に投与すると、物質は外因性ペプチドの抗微生物活性を増強することがある。
【００６５】
本発明の方法により同定される物質は、治療法によりヒトまたは動物の体を治療する方法において、陽イオン性抗微生物ペプチドとともに使用してもよい。特にそのような併用療法は、急性または慢性の細菌感染の治療、潰瘍の治療、および創傷の治療で使用してもよい。物質と陽イオン性抗微生物ペプチドはまた、急性または慢性の感染の治療、潰瘍の治療、または創傷治癒の促進法で使用するための、薬剤の製造に使用される。急性もしくは慢性の感染患者または潰瘍または創傷の患者の症状は、本発明の物質と陽イオン性抗微生物ペプチドの組合せ投与により改善することができる。治療上有効量の本発明の物質と陽イオン性抗微生物ペプチドは、必要とする宿主に投与される。
【００６６】
陽イオン性抗微生物ペプチドは、好中球中、生物学的境界（例えば、肺、皮膚、粘膜および尿管）で発現される。抗微生物ペプチド活性を調節する物質は、局所的治療、例えば皮膚または角膜、および内科的使用、例えば腸管、肺および尿管で使用される。
【００６７】
上記で概説したスクリーニング法に従って同定され、本発明の投与のための物質は、標準的な薬剤学的に許容される担体および／または賦形剤、例えば薬剤学の分野で一般的なもの［例えばレミントンの薬剤科学（Ｒｅｍｉｎｇｔｏｎ’ｓ Ｐｈａｒｍａｃｅｕｔｉｃａｌ Ｓｃｉｅｎｃｅｓ）、マックパブリッシング社（Ｍａｃｋ Ｐｕｂｌｉｓｈｉｎｇ Ｃｏｍｐａｎｙ）、イースタンペンシルバニア、第１７版、１９８５年（この開示内容は参照することによりその全体が本明細書に組み込まれる）に記載のようなもの］とともに調製される。医薬組成物は、本発明の物質を、陽イオン性抗微生物ペプチドおよび薬剤学的に許容される担体または賦形剤とともに含有してもよい。
【００６８】
本発明はまた、細菌プロテアーゼ／グリコサミノグリカン防御経路のインヒビター、陽イオン性抗微生物ペプチド、および薬剤学的に許容される担体または賦形剤を含む医薬組成物を提供する。物質、組成物および生成物は、経腸的または腸管外（例えば、経口、頬、肛門、肺、静脈内、動脈内、筋肉内、腹腔内、局所的）、または他の適当な経路により投与される。
【００６９】
物質の、物質と陽イオン性抗微生物ペプチドまたは生成物の治療上有効量のが、患者に投与される。物質の、物質と陽イオン性抗微生物ペプチドまたは生成物の用量は、特に使用される物質に従う種々のパラメータ（治療される患者の年齢、体重、症状；投与経路；および必要な処方）に従って決定される。医師が、特定の患者のための必要な投与経路と用量は決定できるであろう。典型的な１日用量は、物質、物質と陽イオン性抗微生物ペプチドまたは生成物の活性、治療される被験体の体重と症状、変性のタイプと重症度、および投与頻度と経路に従って、約０．１〜５０ｍｇ／ｋｇ体重である。好ましくは１日用量は、５ｍｇ〜２ｇである。
【００７０】
物質、インヒビター、およびペプチドは、同時にまたは逐次的に投与される。好ましくは物質またはインヒビターは、ペプチドの投与前に投与される。物質またはインヒビターは、ペプチドの投与前１分〜４時間、好ましくはペプチドの投与前５分〜１時間、ペプチドの投与前１０分〜３０分に投与される。さらに好ましくは物質またはインヒビターおよびペプチドは、同時に投与される。
【００７１】
以下の例は、本発明を例示する。
【００７２】
例１
３５Ｓ−硫酸標識繊維芽細胞培養物の生成物と、細菌培養物からの増殖培地によるこれらの生成物の分解を、３〜１２％ＳＤＳ−ポリアクリルアミドゲル電気泳動（ＰＡＧＥ）により分析した。
【００７３】
慢性静脈創傷から最初に得られた緑膿菌（Ｐｓｅｕｄｏｍｏｎａｓ ａｅｒｕｇｉｎｏｓａ）とエンテロコッカス・フェカーリス（Ｅｎｔｅｒｏｃｏｃｃｕｓ ｆａｅｃａｌｉｓ）分離株を、トッド−ヘウィット（Ｔｏｄｄ−Ｈｅｗｉｔｔ）培地中で３７℃で１８時間増殖させた。化膿連鎖球菌（Ｓｔｒｅｐｔｏｃｏｃｃｕｓ ｐｙｏｇｅｎｅｓ）ＡＰ１株（４０／５８）は、ストレプトコッカスの文献と研究のための世界保健機構協力センター（Ｗｏｒｌｄ Ｈｅａｌｔｈ Ｏｒｇａｎｉｚａｔｉｏｎ Ｃｏｌｌａｂｏｒａｔｉｎｇ Ｃｅｎｔｒｅ ｆｏｒ Ｒｅｆｅｒｅｎｃｅｓ ａｎｄ Ｒｅｓｅａｒｃｈ ｏｎ Ｓｔｒｅｐｔｏｃｏｃｃｉ）（プラハ、チェコ共和国）から得て、Ｃ培地（ハーワルト（Ｈ． Ｈｅｒｗａｌｄ）、コリン（Ｍ． Ｃｏｌｌｉｎ）、ムラー−エスタール（Ｍｕｌｌｅｒ−Ｅｓｔｅｒｌ）、ビヨルク（Ｌ． Ｂｊｏｒｃｋ）、Ｊ． Ｅｘｐ． Ｍｅｄ． １８４， ６６５ （１９９６））で静止期まで増殖させた。遠心分離して細菌をペレットにし、上清を無菌ろ過した（０．３μｍ）。放射能標識プロテオグリカンの分解のために、１０μｌの３５Ｓ−硫酸代謝標識された分泌された繊維芽細胞生成物（シュミチェン（Ａ． Ｓｃｈｍｉｄｔｃｈｅｎ）、カールステット（Ｉ． Ｃａｒｌｓｔｅｄｔ）、マルムストローム（Ａ． Ｍａｌｍｓｔｒｏｍ）、フランソン（Ｌ−Ａ， Ｆｒａｎｓｓｏｎ）、Ｂｉｏｃｈｅｍ． Ｊ． ２６５， ２８９ （１９９０））を、１０μｌの無菌ろ過細菌上清と、３７℃で６時間インキュベートした。１０μｌのＴＨ培地を対照中に加えた。ストレプトコッカスのシステインプロテイナーゼの活性化のために、１０ｍＭのＤＴＴを加えた。
【００７４】
結合組織プロテオグリカン（ＰＧ）デコリン／ビグリカンとベルシカンは、インビボならびに培養物中でヒト繊維芽細胞の主要な分泌生成物を構成する（イオッツォ（Ｒ．Ｖ． Ｉｏｚｚｏ）、Ａｎｎｕ． Ｒｅｖ． Ｂｉｏｃｈｅｍ．， ６７， ６０９ （１９９８））。３〜１２％ＳＤＳ−ＰＡＧＥによる分析により、以前の結果が確認され、デコリン（〜１００ｋＤａ）とベルシカン（〜４００ｋＤａ）が３５Ｓ−標識繊維芽細胞培養物の主要な細胞外生成物として同定された（シュミチェン（Ａ． Ｓｃｈｍｉｄｔｃｈｅｎ）、カールステット（Ｉ． Ｃａｒｌｓｔｅｄｔ）、マルムストローム（Ａ． Ｍａｌｍｓｔｒｏｍ）、フランソン（Ｌ−Ａ， Ｆｒａｎｓｓｏｎ）、Ｂｉｏｃｈｅｍ． Ｊ． ２６５， ２８９ （１９９０）；シュミチェン（Ａ． Ｓｃｈｍｉｄｔｃｈｅｎ）、フランソン（Ｌ−Ａ， Ｆｒａｎｓｓｏｎ）、Ｂｉｏｍｅｄ． Ｃｈｒｏｍ．， ７， ４８ （１９９３））。緑膿菌（Ｐ． ａｅｒｕｇｉｎｏｓａ）とイー・フェカーリス（Ｅ． ｆａｅｃａｌｉｓ）培養物からの増殖培地を添加すると、デコリンが広範に分解された。また、還元剤ジチオスレイトール（ＤＴＴ）を加えると、化膿連鎖球菌（Ｓ． ｐｙｏｇｅｎｅｓ）細胞外生成物は、デコリンと高分子量プロテオグリカンを分解した。
【００７５】
ＤＴＴの必要性は、化膿連鎖球菌（Ｓ． ｐｙｏｇｅｎｅｓ）システインプロテイナーゼが分解に関与していることを示唆する。この仮定は、この作用を完全に阻止した特異的システインプロテイナーゼインヒビター（Ｅ６４）の作用により確認された。
【００７６】
分解された物質は、分子量３０〜５０ｋＤａであり、既に記載されている（シュミチェン（Ａ． Ｓｃｈｍｉｄｔｃｈｅｎ）、フランソン（Ｌ−Ａ， Ｆｒａｎｓｓｏｎ）、Ｅｕｒ． Ｊ． Ｂｉｏｃｈｅｍ． ２０８， ５３７ （１９９２））ように、遊離／またはペプチド結合ＧＡＧ鎖のサイズに対応した。これらの実験は、細菌プロテイナーゼによる繊維芽細胞マトリックス金属プロテアーゼ（ＭＭＰ）の活性化（バーンズ（Ｅ． Ｈ． Ｂｕｒｎｓ）、マーシエル（Ａ．Ｍ． Ｍａｒｃｉｅｌ）、ムッサー（Ｊ．Ｍ． Ｍｕｓｓｅｒ）、Ｉｎｆｅｃｔ． Ｉｍｍｕｎ．， ６４， ４７４４ （１９９６）；オカモト（Ｔ． Ｏｋａｍｏｔｏ）ら、Ｊ． Ｂｉｏｌ． Ｃｈｅｍ．， ２７２， ６０５９ （１９９７））の可能性を排除せず、分解されたＰＧを与えたため、特異的プロテアーゼの調製物を用いて一連の対照実験を行った。
【００７７】
緑膿菌（Ｐ． ａｅｒｕｇｉｎｏｓａ）エラスターゼとアルカリ性プロテイナーゼタンパク質を、硫酸アンモニウム沈殿（７０％飽和）により調製した。透析（１０ｍＭトリス、ｐＨ８．０）後、ハイＱ陰イオン交換クロマトグラフィー（バイオラッド（Ｂｉｏ−Ｒａｄ））で、１０ｍＭトリス（ｐＨ８．０）中０〜１．０Ｍ　ＮａＣｌの勾配を使用して、分離を行った。フロースルー画分中にエラスターゼが同定されたが、アルカリ性プロテイナーゼは、〜０．５Ｍ　ＮａＣｌで溶出された。
【００７８】
化膿連鎖球菌（Ｓ． ｐｙｏｇｅｎｅｓ）のシステインプロテイナーゼは、以前のプロトコール（ハーワルト（Ｈ． Ｈｅｒｗａｌｄ）、コリン（Ｍ． Ｃｏｌｌｉｎ）、ムラー−エスタール（Ｍｕｌｌｅｒ−Ｅｓｔｅｒｌ）、ビヨルク（Ｌ． Ｂｊｏｒｃｋ）、Ｊ． Ｅｘｐ． Ｍｅｄ． １８４， ６６５ （１９９６））に従って精製された。
【００７９】
イー・フェカーリス（Ｅ． ｆａｅｃａｌｉｓ）株はゲラチナーゼを含有し、上清を直接使用した。緑膿菌（Ｐ． ａｅｒｕｇｉｎｏｓａ）エラスターゼとアルカリ性プロテイナーゼ、化膿連鎖球菌（Ｓ． ｐｙｏｇｅｎｅｓ）システインプロテイナーゼ、およびイー・フェカーリス（Ｅ． ｆａｅｃａｌｉｓ）ゲラチナーゼはすべて、精製したヒト子宮頸デコリンならびに調整培地中の３５Ｓ−標識繊維芽細胞デコリンを分解した。段階的イオン交換クロマトグラフィー（シュミチェン（Ａ． Ｓｃｈｍｉｄｔｃｈｅｎ）、カールステット（Ｉ． Ｃａｒｌｓｔｅｄｔ）、マルムストローム（Ａ． Ｍａｌｍｓｔｒｏｍ）、フランソン（Ｌ−Ａ， Ｆｒａｎｓｓｏｎ）、Ｂｉｏｃｈｅｍ． Ｊ． ２６５， ２８９ （１９９０））（繊維芽細胞由来ＭＭＰの分離のため）そして次に放射能標識繊維芽細胞プロテオグリカンのＰＢＳ透析、または繊維芽細胞ＭＭＰを不活性化するための繊維芽細胞生成物の沸騰は、分解に影響を与えなかった。化膿連鎖球菌（Ｓ． ｐｙｏｇｅｎｅｓ）システインプロテイナーゼをシステインプロテイナーゼインヒビターＥ６４とプレインキュベーション（〜１５分）すると、分解されなかった。
【００８０】
別の創傷病原体である霊菌（Ｐｒｏｔｅｕｓ ｍｉｒａｂｉｌｉｓ）もまた、デルマタン硫酸を放出する細胞外プロテアーゼを産生することが証明されている。
【００８１】
例２
次に我々は、デルマタン硫酸（ＤＳ）、ヒトデコリンのグリコサミノグリカン（ＧＡＧ）置換基（イオッツォ（Ｒ．Ｖ． Ｉｏｚｚｏ）、Ａｎｎｕ． Ｒｅｖ． Ｂｉｏｃｈｅｍ．， ６７， ６０９ （１９９８））、結合デフェンシン、および他の硫酸化多糖が、相互作用を阻止するかどうかを調べた。
【００８２】
これらの実験で使用したグリコサミノグリカンは、デルマタン硫酸（ＤＳ）３６、ＤＳ１３、ヘパラン硫酸（ＨＳ）３−６、コンドロイチン硫酸（ＣＳ）−４およびＣＳ−６である。これらの調製と性状解析は、既に記載されている（ローデン（Ｌ． Ｒｏｄｅｎ）、ベーカー（Ｊ． Ｂａｋｅｒ）、シフォネッリ（Ｊ．Ａ． Ｃｉｆｏｎｅｌｌｉ）、マシューズ（Ｍ．Ｂ． Ｍａｔｈｅｗｓ）、Ｍｅｔｈｏｄｓ ｉｎ Ｅｎｚｙｍｏｌｏｇｙ、ギンズバーグ（Ｖ． Ｇｉｎｓｂｕｒｇ）編（アカデミックプレス（Ａｃａｄｅｍｉｃ Ｐｒｅｓｓ）、ニューヨーク、１９７３年）、第２８巻、７３〜１４０頁；フランソン（Ｌ．−Ａ． Ｆｒａｎｓｓｏｎ）、ニーヅスジンスキー（Ｉ．Ａ． Ｎｉｅｄｕｓｚｙｎｓｋｉ）、フェルプス（Ｃ．Ｆ． Ｐｈｅｌｐｓ）、シーハン（Ｊ．Ｋ． Ｓｈｅｅｈａｎ）、Ｂｉｏｃｈｉｍ． Ｂｉｏｐｈｙｓ． Ａｃｔａ．， ５８６， １７９ （１９７９） ；フランソン（Ｌ．−Ａ． Ｆｒａｎｓｓｏｎ）、シェーバーグ（Ｉ． Ｓｊｏｂｅｒｇ）、ハブスマーク（Ｂ． Ｈａｖｓｍａｒｋ）、Ｅｕｒ． Ｊ． Ｂｉｏｃｈｅｍ．， １０６， ５９ （１９８０））。ヘパリンと追加の調製物ＣＳ−４（ウシ気管からのＣＳ−Ａ）と６（サメ軟骨からのＣＳ−Ｃ）は、シグマ（Ｓｉｇｍａ）から購入した。デルマタン硫酸（分子量〜５００ｋＤａ）は、ビーディーエィチ・バイオケミカル（ＢＤＨ Ｂｉｏｃｈｅｍｉｃａｌ）から得た。
【００８３】
ＤＳ３６の放射性ヨード化は、以前のプロトコール（チェング（Ｆ Ｃｈｅｎｇ）、ヨシダ（Ｋ． Ｙｏｓｈｉｄａ）、ヘイネガード（Ｄ． Ｈｅｉｎｅｇａｒｄ）、フランソン（Ｌ．Ａ． Ｆｒａｎｓｓｏｎ）、Ｇｌｙｃｏｂｉｏｌｏｇｙ， ２， ５５３ （１９９２））に従って行った。スロット結合測定法を以下のように行った：α−デフェンシンペプチド１（バッケム（Ｂａｃｈｅｍ）、スイス）をニトロセルロース膜（ハイボンド（Ｈｙｂｏｎｄ）、アマシャム（Ａｍｅｒｓｈａｍ））にブロットした。膜を１時間ブロッキング（ＰＢＳ、ｐＨ７．４、０．２５％ツイーン２０、３％ＢＳＡ）し、同じ緩衝液中で放射能標識ＤＳ（〜２０μｇ／ｍｌ）と１時間インキュベートした。結合を競合させるために、非標識多糖を加えた（２ｍｇ／ｍｌ）。膜を洗浄した（３×１０分）（ＰＢＳ，ｐＨ７．４、０．２５％ツイーン２０）。Ｂａｓ２０００放射性イメージングシステム（フジ（Ｆｕｊｉ））を使用して、放射活性を視覚化した。
【００８４】
０．２〜５μｇのα−デフェンシン１をニトロセルロースにブロットし、放射性ヨード化デルマタン硫酸（ＤＳ）とプローブ結合させた。ペプチドに結合したＤＳと結合は、過剰（〜１００倍）の非標識ＤＳ（ＤＳ３６；７５％イズロン酸塩［ＩｄｏＡ］）ならびにＤＳ１３（＞９５％　ＩｄｏＡ）により阻害された。コンドロイチン硫酸（ＣＳ）−４ならびにＣＳ−６は、結合を破壊しなかった。ＣＳ−４とＤＳは、主にウロン酸（ＣＳ−４中のグルクロン酸とＤＳ中のＩｄｏＡ）のエピマー化が異なる（フランソン（Ｌ．−Ａ． Ｆｒａｎｓｓｏｎ）、「多糖（Ｔｈｅ Ｐｏｌｙｓａｃｃｈａｒｉｄｅｓ）」中、アスピナール（Ｇ．Ｏ． Ａｓｐｉｎａｌｌ）編（アカデミックプレス（Ａｃａｄｅｍｉｃ Ｐｒｅｓｓ）、ニューヨーク州、１９８５年）、第３巻、３３８〜４０６頁）。試験したヘパラン硫酸（ＨＳ）画分のうち（ＨＳ３〜６）、硫酸化とＩｄｏＡ含量の高いもの（ＨＳ５；〜５０％ＩｄｏＡ、および〜６２％Ｎ−硫酸、ＨＳ６：６５％ＩｄｏＡおよび７２％Ｎ−硫酸）のみが、ＤＳを完全に排除することがわかった。さらにヘパリンとデキストラン硫酸（デキストランではない）は、放射能標識ＤＳを排除した。まとめるとこの結果は、ＧＡＧ−デキストラン相互作用が、多糖のＩｄｏＡ残基ならびに硫酸化に依存することを示唆する。ＤＳとＨＳ／ヘパリン中のＩｄｏＡは、２−Ｏ−硫酸化されていることがあり（フランソン（Ｌ．−Ａ． Ｆｒａｎｓｓｏｎ）、「多糖（Ｔｈｅ Ｐｏｌｙｓａｃｃｈａｒｉｄｅｓ）」中、アスピナール（Ｇ．Ｏ． Ａｓｐｉｎａｌｌ）編（アカデミックプレス（Ａｃａｄｅｍｉｃ Ｐｒｅｓｓ）、ニューヨーク州、１９８５年）、第３巻、３３８〜４０６頁）、α−デフェンシン１への結合のために、ＤＳとＨＳポリマーの追加の修飾が必要かも知れない。
【００８５】
例３
デフェンシン機能へのＤＳの作用を調べるために、試験微生物である化膿連鎖球菌（Ｓ． ｐｙｏｇｅｎｅｓ）、イー・フェカーリス（Ｅ． ｆａｅｃａｌｉｓ）および緑膿菌（Ｐ． ａｅｒｕｇｉｎｏｓａ）に対するα−デフェンシン１の細菌活性を測定した。
【００８６】
抗微生物測定法のために、化膿連鎖球菌（Ｓ． ｐｙｏｇｅｎｅｓ）、イー・フェカーリス（Ｅ． ｆａｅｃａｌｉｓ）および緑膿菌（Ｐ． ａｅｒｕｇｉｎｏｓａ）を、ＴＨ培地中で対数中期まで増殖させた。細菌を洗浄し、５ｍＭグルコース含有１０ｍＭトリス−塩酸（ｐＨ７．５）で希釈した。５０μｌの細菌（２×１０６ ｃｆｕ／ｍｌ）を、０〜４０μｇ／ｍｌの濃度のα−デフェンシンと、２〜４００μｇ／ｍｌの濃度の種々のＧＡＧ鎖の添加有りまたは無しで、インキュベートした。インキュベーションは、３７℃で２時間（化膿連鎖球菌（Ｓ． ｐｙｏｇｅｎｅｓ）とイー・フェカーリス（Ｅ． ｆａｅｃａｌｉｓ））または４時間（緑膿菌（Ｐ． ａｅｒｕｇｉｎｏｓａ））行った。微生物活性を定量するために、このインキュベーション混合物の連続希釈物を、ＴＨ寒天に蒔き、３７℃で一晩インキュベートし、ＣＦＵの数を測定した。
【００８７】
細菌株を、０〜４０μｇ／ｍｌのα−デフェンシン１とインキュベートした。緑膿菌（Ｐ． ａｅｒｕｇｉｎｏｓａ）、イー・フェカーリス（Ｅ． ｆａｅｃａｌｉｓ）および化膿連鎖球菌（Ｓ． ｐｙｏｇｅｎｅｓ）は、４μｇ／ｍｌの濃度またはそれ以上のデフェンシンにより有効に死滅した。２０〜４０μｇ／ｍｌ（ＤＳ／デフェンシンモル比〜０．５〜１）の濃度のＤＳを添加すると、イー・フェカーリス（Ｅ． ｆａｅｃａｌｉｓ）のデフェンシン介在死滅がほとんど完全に逆転し、他の２つの種の死滅が部分的に阻害された（図１Ｂ）。４００μｇ／ｍｌのＤＳ（モル比〜１０：１）は、デフェンシンの抗微生物作用をほとんど完全に逆転させた。以前の実験は、ＤＳがα−デフェンシン１に結合すること、および結合は〜１００倍過剰のＨＳ３ならびに２つのＣＳ型により阻害されることを示したため、我々は、これらのＧＡＧがデフェンシンを阻害する活性が小さいかどうかという問題を調べた。実際、測定法に含めると（試験成分として化膿連鎖球菌（Ｓ． ｐｙｏｇｅｎｅｓ）を使用して）、デフェンシン介在細菌死滅は、ほんのわずかに阻害された；４００μｇ／ｍｌのＨＳ３、ＣＳ−４およびＣＳ−６（シグマ（Ｓｉｇｍａ））は、それぞれ６、１６および２％阻害を示した。
【００８８】
例４
ＬＬ−３７機能へのＤＳの作用を調べるために、試験微生物である化膿連鎖球菌（Ｓ． ｐｙｏｇｅｎｅｓ）、イー・フェカーリス（Ｅ． ｆａｅｃａｌｉｓ）および緑膿菌（Ｐ． ａｅｒｕｇｉｎｏｓａ）に対するＬＬ−３７の細菌活性を測定した。
【００８９】
抗微生物測定は、例３に記載のように行った。ＬＬ−３７の抗細菌活性を例示する結果を図２に示す。０〜４０μｇ／ｍｌのＤＳの添加は、化膿連鎖球菌（Ｓ． ｐｙｏｇｅｎｅｓ）、イー・フェカーリス（Ｅ． ｆａｅｃａｌｉｓ）および緑膿菌（Ｐ． ａｅｒｕｇｉｎｏｓａ）のＬＬ−３７死滅を阻害した。結果を図３に示す。
【００９０】
例５
デルマタン硫酸（ＤＳ）がＬＬ−３７に結合し、および硫酸化多糖が相互作用をブロックするかどうかを調べるために、例２に示すように、スロット結合測定を行った。ＬＬ−３７（０．２〜５μｇ）をニトロセルロースに適用し、ヨード化デルマタン硫酸（ＤＳ３６）とインキュベートした。結合への競合のために、異なる多糖を加えた：ＤＳ３６、ＤＳ１８、ＤＳ１３、ＣＳ−４、ＣＳ−６、ＣＳ−Ｄ（コンドロイチン硫酸Ｄ）およびＣＳ−Ｅ（コンドロイチン硫酸Ｅ）。結果を図４に示す。ＣＳ−４、ＣＳ−６およびＣＳ−ＤとＣＳ−Ｄは、結合を破壊しなかった。しかし放射能標識ＤＳは、ＤＳ−３６、ＤＳ１８、ＤＳ１３、およびＣＳ−Ｅにより排除された。
【００９１】
例６
ＤＳ−ＬＬ−３７相互作用への種々の陽イオン性分子の作用を、例２に記載のようにスロット−ブロット測定法を使用して監視した。結果を図５に示す。ＬＬ−３７へのＤＳの結合は、ポリ−Ｌ−リジン、ポリ−Ｌ−アルギニン、ＤＥＡＥ−デキストラン、ポリブレン、キトサンおよびポリエチレンイミンによりブロックされた。結合レベルの低下は、プロタミンの存在下で観察された。ポリミキサンＢおよびポリミキシンＢノナペプチドは、ＬＬ−３７へのＤＳの結合を阻止しなかった。
【００９２】
例７
緑膿菌（Ｐ． ａｅｒｕｇｉｎｏｓａ）エラスターゼがＬＬ−３７を分解し不活性化することを証明するために、１０μｇのＬＬ−３７を５０μｌの１０ｍＭトリス−塩酸（ｐＨ７．５）中３０ｍＵの緑膿菌（Ｐ． ａｅｒｕｇｉｎｏｓａ）エラスターゼと、０、１、５、１５もしくは３０分または１、４もしくは２０時間インキュベートした。インキュベーション物の等量のアリコートを、ＳＤＳ−ＰＡＧＥ（１６．５％トリス−トリシンゲル）で分析したかまたは細菌活性について測定した。細菌測定法のために、２×１０６ ｃｆｕ／ｍｌのイー・フェカーリス（Ｅ． ｆａｅｃａｌｉｓ）を０．１μｇのＬＬ−３７と、１０ｍＭトリス−塩酸（ｐＨ７．５）、５ｍＭグルコース中で３７℃で２時間インキュベートした。図６に示す結果は、ＬＬ−３７が緑膿菌（Ｐ． ａｅｒｕｇｉｎｏｓａ）エラスターゼにより分解され不活性化されることを示す。
【００９３】
ＬＬ−３７分解産物を、液体クロマトグラフィー質量スペクトル（ＬＣ−ＭＳ）、次に飛行時間（Ｔｉｍｅ ｏｆ ｆｌｉｇｈｔ）（ＴＯＦ）ＭＳ−ＭＳで測定した。断片質量が３７０８．８５９、３１７８．６３７、２８２２．４５０、２３２６．２６９および１４０１．７４８を与える主要なペプチド断片が検出され、さらに分析した。ＬＬ−３７の切断点と提唱されている抗細菌領域を図７に示す。
【００９４】
３ｍＵのイー・フェカーリス（Ｅ． ｆａｅｃａｌｉｓ）ゲラチナーゼまたは３ｍＵの化膿連鎖球菌（Ｓ． ｐｙｏｇｅｎｅｓ）システインプロテイナーゼによるＬＬ−３７の分解を、１μｇのＬＬ−３７を１時間と６時間インキュベートすることにより監視した。分解産物を１６．５％のトリス−トリシンゲルのＳＤＳ−ＰＡＧＥにより分析し、６ｍＵの緑膿菌（Ｐ． ａｅｒｕｇｉｎｏｓａ）エラスターゼと１μｇのＬＬ−３７を５分と１時間インキュベーション後の分解産物と比較した。結果を図８に示す。
【００９５】
例８
１μｇのＬＬ−３７を１２ｍＵの緑膿菌（Ｐ． ａｅｒｕｇｉｎｏｓａ）エラスターゼ、６ｍＵのイー・フェカーリス（Ｅ． ｆａｅｃａｌｉｓ）ゲラチナーゼまたは６ｍＵの化膿連鎖球菌（Ｓ． ｐｙｏｇｅｎｅｓ）プロテアーゼと、インヒビターの存在下と非存在下で１時間インキュベートすることにより、ＬＬ−３７の分解への種々の物質の作用を測定した。生じた物質をＳＤＳ−ＰＡＧＥ（１６．５％トリス−トリシンゲル）により分析した。金属プロテアーゼインヒビターＧＭ６００１（１００μＭ）と１，１０−フェナントロリン（２ｍＭ）（これらは両方とも、緑膿菌（Ｐ． ａｅｒｕｇｉｎｏｓａ）エラスターゼとイー・フェカーリス（Ｅ． ｆａｅｃａｌｉｓ）ゲラチナーゼを阻害した）またはインヒビターＥ６４（１０μＭ）（これは、化膿連鎖球菌（Ｓ． ｐｙｏｇｅｎｅｓ）システインプロテイナーゼを阻害した）により、分解は止まった（図９）。
【００９６】
ＤＳ３６とＣＳ−Ｅ、および程度は低いがＣＳ−ＡとＣＳ−Ｃは、緑膿菌（Ｐ． ａｅｒｕｇｉｎｏｓａ）エラスターゼによるＬＬ−３７の分解を阻害した（図１０）。構造［ΔＵＡ（２Ｓ）−ＧａｌＮＡｃ（４，６Ｓ）］（図１１）の硫酸化二糖とシュクロースオクタ硫酸（図１２）もまた、緑膿菌（Ｐ． ａｅｒｕｇｉｎｏｓａ）エラスターゼによるＬＬ−３７の分解を阻害した。
【図面の簡単な説明】
【図１】図１は、デルマタン硫酸（ＤＳ）によるα−デフェンシンの殺菌活性の阻止を例示する。図１Ａは、α−デフェンシンによる細菌の死滅を例示する。２×１０６ ＣＦＵ／ｍｌの化膿連鎖球菌（Ｓ． ｐｙｏｇｅｎｅｓ）（□）、イー・フェカーリス（Ｅ． ｆａｅｃａｌｉｓ）（●）および緑膿菌（Ｐ． ａｅｒｕｇｉｎｏｓａ）（○）を、α−デフェンシンと記載のペプチド濃度で３７℃で２時間（化膿連鎖球菌（Ｓ． ｐｙｏｇｅｎｅｓ））とイー・フェカーリス（Ｅ． ｆａｅｃａｌｉｓ））または４時間（緑膿菌（Ｐ． ａｅｒｕｇｉｎｏｓａ））インキュベートし、ＣＦＵを測定した。図１Ｂは、デルマタン硫酸による細菌のデフェンシン介在死滅の阻害を例示する。種々の濃度（０〜４００μｇ／ｍｌ）のＤＳの添加は、化膿連鎖球菌（Ｓ． ｐｙｏｇｅｎｅｓ）（□）、イー・フェカーリス（Ｅ． ｆａｅｃａｌｉｓ）（●）および緑膿菌（Ｐ． ａｅｒｕｇｉｎｏｓａ）（○）のデフェンシン死滅を阻害した。
【図２】図２は、ＬＬ−３７の殺菌作用を例示する。２×１０６ コロニー形成単位（ｃｆｕ）／ｍｌのイー・フェカーリス（Ｅ． ｆａｅｃａｌｉｓ））（□）、化膿連鎖球菌（Ｓ． ｐｙｏｇｅｎｅｓ）ＡＰ１（○）、および緑膿菌（Ｐ． ａｅｒｕｇｉｎｏｓａ）（●）を、ＬＬ−３７と記載のペプチド濃度で３７℃で、１０ｍＭトリス−塩酸（ｐＨ７．５）、５ｍＭグルコース中で、２時間（化膿連鎖球菌（Ｓ． ｐｙｏｇｅｎｅｓ）とイー・フェカーリス（Ｅ． ｆａｅｃａｌｉｓ））または４時間（緑膿菌（Ｐ． ａｅｒｕｇｉｎｏｓａ））インキュベートし、ｃｆｕを測定した。
【図３】図３は、デルマタン硫酸（ＤＳ）によるＬＬ−３７の細菌作用の阻止を例示する。種々の濃度（０〜４０μｇ／ｍｌ）のＤＳの添加は、イー・フェカーリス（Ｅ． ｆａｅｃａｌｉｓ）（□）、化膿連鎖球菌（Ｓ． ｐｙｏｇｅｎｅｓ）ＡＰ１（●）、および緑膿菌（Ｐ． ａｅｒｕｇｉｎｏｓａ）（○）のＬＬ−３７死滅を阻害した。種々の細菌株の２×１０６ ＣＦＵ／ｍｌを、１０ｍＭトリス−塩酸（ｐＨ７．５）、５ｍＭグルコース中で、１０μｇ／ｍｌ（イー・フェカーリス（Ｅ． ｆａｅｃａｌｉｓ）と緑膿菌（Ｐ． ａｅｒｕｇｉｎｏｓａ））または２μｇ／ｍｌ（化膿連鎖球菌（Ｓ． ｐｙｏｇｅｎｅｓ）ＡＰ１）のＬＬ−３７、およびデルマタン硫酸と、２時間（ＡＰ１とイー・フェカーリス（Ｅ． ｆａｅｃａｌｉｓ））または４時間（緑膿菌（Ｐ． ａｅｒｕｇｉｎｏｓａ））インキュベートし、ｃｆｕを測定した。
【図４】図４は、ＬＬ−３７へのデルマタン硫酸の結合を示す。ＬＬ−３７（０．２〜５μｇ）をニトロセルロースに適用し、ヨード化したデルマタン硫酸（ＤＳ３６）とインキュベートした。結合に競合させるために、異なる多糖を加えた。ＤＳ３６、ＤＳ１８、ＤＳ１３（デルマタン硫酸３６、１８および１３）、ＣＳ４とＣＳ６（コンドロイチン硫酸４と６）、ＣＳ−Ｄ（コンドロイチン硫酸Ｄ）およびＣＳ−Ｅ（コンドロイチン硫酸Ｅ）。
【図５】図５は、ＤＳ−ＬＬ−３７相互作用に対する種々の陽イオン性分子の作用を示す。ＬＬ−３７（０．２〜５μｇ）をニトロセルロースに適用し、ヨード化したデルマタン硫酸（ＤＳ３６）とインキュベートした。結合に競合させるために、種々のパネルの上に示すように、異なる陽イオン性物質を加えた。（ａ）ｐ−ｌ−ｌｙｓ；ポリ−Ｌ−リジン、ｐ−ｌ−ａｒｇ；ポリ−Ｌ−アルギニン、ＤＥＡＥ；ＤＥＡＥ−デキストラン、ＰＢ；ポリブレン。（ｂ）ＣＨ；キトサン、ＰＥＩ、ポリエチレンイミン、ＰＭ；プロタミン、ＰＭＸ；ポリミキシンＢ、ＰＭＸｎｐ；ポリマーミキシンＢノナペプチド。
【図６】図６は、緑膿菌（Ｐｓｅｕｄｏｍｏｎａｓ ａｅｒｕｇｉｎｏｓａ）エラスターゼがＬＬ−３７を分解し不活性化することを証明する実験の結果を示す。ＬＬ−３７（１０μｇ）を、５０μｌの１０ｍＭトリス−塩酸（ｐＨ７．５）中の緑膿菌エラスターゼ（Ｐ． ａｅｒｕｇｉｎｏｓａ）と、種々の時間（ｘ軸上に記載）インキュベートした。次にインキュベート物の等量のアリコートを、ＳＤＳ−ＰＡＧＥ（１６．５％トリス−トリシンゲル；上の図）で分析したか、または殺菌活性（下の図）を測定した。２μｇのＬＬ−３７に相当する容量を、ゲル上にのせた。分子量マーカーを左に示す（上の図）。殺菌測定（下の図）のために、２×１０６ ｃｆｕ／ｍｌのイー・フェカーリス（Ｅ． ｆａｅｃａｌｉｓ）を、分解の開始時に０．１μｇの無傷のペプチドに相当する量のＬＬ−３７とインキュベートした。ペプチドを細菌と、１０ｍＭトリス−塩酸（ｐＨ７．５）、５ｍＭグルコース中で、３７℃で２時間インキュベートした。コロニー形成単位を測定した（左に記載）。
【図７】図７は、ＬＬ−３７断片の性状解析を示す。ＬＬ−３７（１０μｇ）を、５０μｌの１０ｍＭトリス−塩酸（ｐＨ７．５）中で緑膿菌（Ｐ． ａｅｒｕｇｉｎｏｓａ）エラスターゼ（３０ｍＵ）と、１、５、１５、３０分または１時間インキュベートした。生じた分解産物（図６参照）を、液体クロマトグラフィー質量スペクトル（ＬＣ−ＭＳ）、次に飛行時間（Ｔｉｍｅ ｏｆ ｆｌｉｇｈｔ）（ＴＯＦ）ＭＳ−ＭＳで測定した。主要なペプチド断片を検出し、さらに分析した。切断点を示し、ＬＬ−３７の提唱されている抗細菌領域に下線を引いた。
【図８】図８は、細菌プロテイナーゼによるＬＬ−３７の分解を示す。ＬＬ−３７（１μｇ）を、それぞれ緑膿菌（Ｐ． ａｅｒｕｇｉｎｏｓａ）エラスターゼ（ＥＬＡ）と５分（１）または１時間（２）インキュベートし、イー・フェカーリス（Ｅ． ｆａｅｃａｌｉｓ）ゲラチナーゼ含有培地（ＧＥＬ）または化膿連鎖球菌（Ｓ． ｐｙｏｇｅｎｅｓ）システインプロテイナーゼ（ＣＰ）と１時間（１）または６時間（２）インキュベートした。加えたプロテイナーゼ活性（アゾカゼイン測定法により測定した）は、１０μｌの反応物当たり６ｍＵ（緑膿菌（Ｐ． ａｅｒｕｇｉｎｏｓａ）エラスターゼ）および３ｍＵ（他のプロテイナーゼ）に相当した。物質をＳＤＳ−ＰＡＧＥで１６．５％トリス−トリシンゲルで分析した。分子量マーカーを左に示す。
【図９】図９は、プロテイナーゼインヒビターによるＬＬ−３７分解の阻害を示す。ＬＬ−３７（１μｇ）を、緑膿菌（Ｐ． ａｅｒｕｇｉｎｏｓａ）エラスターゼ（ＥＬＡ、１２ｍＵ）、イー・フェカーリス（Ｅ． ｆａｅｃａｌｉｓ）ゲラチナーゼ（ＧＥＬ、６ｍＵ）または化膿連鎖球菌（Ｓ． ｐｙｏｇｅｎｅｓ）システインプロテイナーゼ（ＣＰ、６ｍＵ）と、インヒビターの非存在下または存在下で１時間インキュベートした。ＧＭ６００１；１００μＭ　ＧＭ６００１、ＰＨＥ；２ｍＭ　１，１０−フェナトロリン、Ｅ６４；１０μＭ　Ｅ６４。物質をＳＤＳ−ＰＡＧＥ（１６．５％トリス−トリシンゲル）で分析した。分子量マーカー（ｋＤａ）を左に示す。
【図１０】図１０は、ＬＬ−３７の分解が、硫酸化グリコサミノグリカンにより阻害されることを示す。ＬＬ−３７（１μｇ）を、緑膿菌（Ｐ． ａｅｒｕｇｉｎｏｓａ）エラスターゼ（１２ｍＵ）と総量１５μｌ（１０ｍＭトリス緩衝液）中で、記載のグリコサミノグリカンの非存在下（ＥＬＡ）または存在下で、１時間インキュベートした。ＤＳ３６、デルマタン硫酸３６（ＣＳ−Ｂとも記載する）、ＣＳ−Ａ；コンドロイチン硫酸Ａ、ＣＳ−Ｃ、コンドロイチン硫酸Ｃ、ＣＳ−Ｅ；コンドロイチン硫酸Ｅ。物質をＳＤＳ−ＰＡＧＥで１６．５％トリス−トリシンゲルで分析した。分子量マーカー（ｋＤａ）を左に示す。
【図１１】図１１は、ＬＬ−３７の分解が硫酸化二糖により阻害されることを示す。ＬＬ−３７（１μｇ）を、緑膿菌（Ｐ． ａｅｒｕｇｉｎｏｓａ）エラスターゼ（１２ｍＵ）と総量１５μｌ（１０ｍＭトリス緩衝液）中で、硫酸化二糖の非存在下または存在下で、１時間インキュベートした。ＥＬＡ；緑膿菌（Ｐ． ａｅｒｕｇｉｎｏｓａ）エラスターゼ、０Ｓ，ＵＡ−ＧａｌＮＡｃ；２Ｓ−４Ｓ；ＵＡ（２Ｓ）−ＧａｌＮＡｃ（４Ｓ）、２Ｓ−６Ｓ；ＵＡ（２Ｓ）−ＧａｌＮＡｃ（６Ｓ）、４，６ｄｉＳ；ＵＡ−ＧａｌＮＡｃ（４，６Ｓ）、２Ｓ−４，６ｄｉＳ；ＵＡ（２Ｓ）−ＧａｌＮＡｃ（４，６Ｓ）。物質をＳＤＳ−ＰＡＧＥで１６．５％トリス−トリシンゲルで分析した。分子量マーカー（ｋＤａ）を左に示す。
【図１２】図１２は、ＬＬ−３７の分解がシュクロースオクタ硫酸により阻害されることを示す。ＩＬ−３（１μｇ）を、緑膿菌（Ｐ． ａｅｒｕｇｉｎｏｓａ）エラスターゼ（１２ｍＵ；ＥＬＡ）と総量１５μｌ（１０ｍＭトリス緩衝液）中で、記載の量（ナノモル）のショ糖（Ｓ）またはシュクロースオクタ硫酸（ＳＯＳ）の非存在下または存在下で、１時間インキュベートした。物質をＳＤＳ−ＰＡＧＥで１６．５％トリス−トリシンゲルで分析した。分子量マーカー（ｋＤａ）を左に示す。
【図１Ａ】
2004504603.tif 000005
【図１Ｂ】
2004504603.tif 000006
【図２】
2004504603.tif 000007
【図３】
2004504603.tif 000008
【図６】
2004504603.tif 000009
【国際公開パンフレット】
2004504603.tif 000010
2004504603.tif 000011
2004504603.tif 000012
2004504603.tif 000013
2004504603.tif 000014
2004504603.tif 000015
2004504603.tif 000016
2004504603.tif 000017
2004504603.tif 000018
2004504603.tif 000019
2004504603.tif 000020
2004504603.tif 000021
2004504603.tif 000022
2004504603.tif 000023
2004504603.tif 000024
2004504603.tif 000025
2004504603.tif 000026
2004504603.tif 000027
2004504603.tif 000028
2004504603.tif 000029
2004504603.tif 000030
2004504603.tif 000031
2004504603.tif 000032
2004504603.tif 000033
2004504603.tif 000034
2004504603.tif 000035
2004504603.tif 000036
2004504603.tif 000037
2004504603.tif 000038
2004504603.tif 000039
2004504603.tif 000040
2004504603.tif 000041
2004504603.tif 000042
2004504603.tif 000043
2004504603.tif 000044
2004504603.tif 000045
2004504603.tif 000046
2004504603.tif 000047
2004504603.tif 000048
2004504603.tif 000049
2004504603.tif 000050
2004504603.tif 000051
2004504603.tif 000052
2004504603.tif 000053
2004504603.tif 000054
2004504603.tif 000055
【国際公開パンフレット（コレクトバージョン）】
2004504603.tif 000056
2004504603.tif 000057
【国際調査報告】
2004504603.tif 000058
2004504603.tif 000059
2004504603.tif 000060
2004504603.tif 000061
2004504603.tif 000062